(57)【特許請求の範囲】
【請求項１】
発展型ノードＢ（ｅＮＢ）のワイヤレス通信の方法であって、
少なくとも１つのユーザ機器（ＵＥ）に、
前記少なくとも１つのＵＥによって受信されたダウンリンク（ＤＬ）送信についての前記少なくとも１つのＵＥによる肯定応答（ＡＣＫ）／否定応答（ＮＡＣＫ）の送信に使用されることになる１つまたは複数のサブフレームの第１の構成、または、
前記少なくとも１つのＵＥによって送られたアップリンク（ＵＬ）送信についての前記少なくとも１つのＵＥによるＡＣＫ／ＮＡＣＫの受信に使用されることになる１つまたは複数のサブフレームの第２の構成、
のうちの少なくとも１つにおける変更を通知することと、
ここにおいて、前記通知することは、無線リソース制御（ＲＲＣ）構成メッセージを介するものである、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のサブフレームを前記少なくとも１つのＵＥに示すことと
を備える、方法。
【請求項２】
ＡＣＫ／ＮＡＣＫの送信を遅延させるための遅延期間を前記少なくとも１つのＵＥに送ることをさらに備える、
請求項１に記載の方法。
【請求項３】
前記遅延期間は、サブフレームの数または時間期間として表される、
請求項２に記載の方法。
【請求項４】
第１のサブフレームにおいて第１の送信を前記少なくとも１つのＵＥに送ることと、
前記第１のサブフレームの後の第２のサブフレームにおいて第２の送信を前記少なくとも１つのＵＥに送ることと
をさらに備え、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを前記少なくとも１つのＵＥから同時に受信すること、
前記遅延期間に基づいて前記第１のサブフレームから遅延した第３のサブフレームにおいて、前記第１の送信への第１のＡＣＫ／ＮＡＣＫを前記少なくとも１つのＵＥから受信すること、および前記遅延期間に基づいて前記第２のサブフレームから遅延した第４のサブフレームにおいて、前記第２の送信への第２のＡＣＫ／ＮＡＣＫを前記少なくとも１つのＵＥから受信すること、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥから受信すること
のうちの１つをさらに備える、請求項２に記載の方法。
【請求項５】
第１のサブフレームにおいて第１の送信を前記少なくとも１つのＵＥから受信することと、
前記第１のサブフレームの後の第２のサブフレームにおいて第２の送信を前記少なくとも１つのＵＥから受信することと
をさらに備え、
前記遅延期間に基づいて前記第１のサブフレームから遅延した第３のサブフレームにおいて、前記受信された第１の送信への第１のＡＣＫ／ＮＡＣＫと前記受信された第２の送信への第２のＡＣＫ／ＮＡＣＫとを前記少なくとも１つのＵＥに同時に送ること、
前記遅延期間に基づいて前記第１のサブフレームから遅延した第３のサブフレームにおいて、前記第１の送信への第１のＡＣＫ／ＮＡＣＫを前記少なくとも１つのＵＥに送ること、および前記遅延期間に基づいて前記第２のサブフレームから遅延した第４のサブフレームにおいて、前記第２の送信への第２のＡＣＫ／ＮＡＣＫを前記少なくとも１つのＵＥに送ること、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥに送ること
のうちの１つをさらに備える、請求項２に記載の方法。
【請求項６】
前記少なくとも１つのＵＥによって確認応答されることになる、前記受信されたＤＬ送信のうちの１つまたは複数を前記少なくとも１つのＵＥに示すことをさらに備え、前記少なくとも１つのＵＥによって確認応答されることになる、前記受信されたＤＬ送信のうちの前記１つまたは複数を前記少なくとも１つのＵＥに示すことは、前記受信されたＤＬ送信のサブセットのみについての前記ＡＣＫ／ＮＡＣＫを送るように前記少なくとも１つのＵＥを構成するために使用される、
請求項１に記載の方法。
【請求項７】
ｅＮＢによって確認応答されることになる、前記少なくとも１つのＵＥによる前記送信されたＵＬ送信のうちの１つまたは複数を前記少なくとも１つのＵＥに示すことをさらに備え、前記ｅＮＢによって確認応答されることになる、前記送信されたＵＬ送信のうちの前記１つまたは複数を前記少なくとも１つのＵＥに示すことは、前記送信されたＵＬ送信のサブセットのみについての前記ＡＣＫ／ＮＡＣＫを受信するように前記少なくとも１つのＵＥを構成するために使用される、
請求項１に記載の方法。
【請求項８】
前記１つまたは複数のサブフレームを前記少なくとも１つのＵＥに示すことは、前記受信されたＤＬ送信についての前記ＡＣＫ／ＮＡＣＫを送信するときに前記少なくとも１つのＵＥによって使用されることになるサブフレームの第１のセットまたは前記送られたＵＬ送信についての前記ＡＣＫ／ＮＡＣＫを受信するときに前記少なくとも１つのＵＥによって使用されることになるサブフレームの第２のセットのうちの少なくとも１つを備える、
請求項１に記載の方法。
【請求項９】
サブフレームの前記第１のセットまたはサブフレームの前記第２のセットの前記インジケーションは明示的なインジケーションである、
請求項８に記載の方法。
【請求項１０】
サブフレームの前記第１のセットまたはサブフレームの前記第２のセットの前記インジケーションは暗黙的なインジケーションである、
請求項８に記載の方法。
【請求項１１】
サブフレームの前記第１のセットについての前記暗黙的なインジケーションは、前記少なくとも１つのＵＥの識別情報、ＤＬ送信のサブフレームのインデックス、および前記受信されたＤＬ送信についての前記ＡＣＫ／ＮＡＣＫの送信に関連する遅延のうちの少なくとも１つの関数に基づく、および／または
サブフレームの前記第２のセットについての前記暗黙的なインジケーションは、前記少なくとも１つのＵＥの識別情報、ＵＬ送信のサブフレームのインデックス、および前記送信されたＵＬ送信についての前記ＡＣＫ／ＮＡＣＫの送信に関連する遅延のうちの少なくとも１つの関数に基づく、
請求項１０に記載の方法。
【請求項１２】
ユーザ機器（ＵＥ）のワイヤレス通信の方法であって、
前記ＵＥによって受信されたダウンリンク（ＤＬ）送信についての肯定応答（ＡＣＫ）／否定応答（ＮＡＣＫ）の送信に使用されることになる１つまたは複数のサブフレームの第１の構成、または、
前記ＵＥによって送られたアップリンク（ＵＬ）送信についてのＡＣＫ／ＮＡＣＫの受信に使用されることになる１つまたは複数のサブフレームの第２の構成、
のうちの少なくとも１つにおける変更の情報を発展型ノードＢ（ｅＮＢ）から受信することと、
ここにおいて、前記受信することは、無線リソース制御（ＲＲＣ）構成メッセージを介するものである、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のサブフレームを備えるインジケーションを受信することと
を備える方法。
【請求項１３】
ＡＣＫ／ＮＡＣＫの送信を遅延させるための遅延期間を受信することをさらに備える、
請求項１２に記載の方法。
【請求項１４】
前記遅延期間は、サブフレームの数または時間期間として表される、
請求項１３に記載の方法。
【請求項１５】
第１のサブフレームにおいて第１の送信を前記ｅＮＢから受信することと、
前記第１のサブフレームの後の第２のサブフレームにおいて第２の送信を前記ｅＮＢから受信することと
をさらに備え、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを同時に前記ｅＮＢに送ること、
前記遅延期間に基づいて前記第１のサブフレームから遅延した第３のサブフレームにおいて、前記第１の送信への第１のＡＣＫ／ＮＡＣＫを前記ｅＮＢに送ること、および前記遅延期間に基づいて前記第２のサブフレームから遅延した第４のサブフレームにおいて、前記第２の送信への第２のＡＣＫ／ＮＡＣＫを前記ｅＮＢに送ること、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢに送ること
のうちの１つをさらに備える、請求項１３に記載の方法。
【請求項１６】
第１のサブフレームにおいて第１の送信を前記ｅＮＢに送ることと、
前記第１のサブフレームの後の第２のサブフレームにおいて第２の送信を前記ｅＮＢに送ることと
をさらに備え、
前記遅延期間に基づいて前記第１のサブフレームから遅延した第３のサブフレームにおいて、前記送られた第１の送信への第１のＡＣＫ／ＮＡＣＫと前記送られた第２の送信への第２のＡＣＫ／ＮＡＣＫとを前記ｅＮＢから同時に受信すること、
前記遅延期間に基づいて前記第１のサブフレームから遅延した第３のサブフレームにおいて、前記第１の送信への第１のＡＣＫ／ＮＡＣＫを前記ｅＮＢから受信すること、および前記遅延期間に基づいて前記第２のサブフレームから遅延した第４のサブフレームにおいて、前記第２の送信への第２のＡＣＫ／ＮＡＣＫを前記ｅＮＢから受信すること、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢから受信すること
のうちの１つをさらに備える、請求項１３に記載の方法。
【請求項１７】
確認応答されることになる、前記受信されたＤＬ送信のうちの１つまたは複数のインジケーションを受信することをさらに備え、確認応答されることになる、前記受信されたＤＬ送信のうちの前記１つまたは複数の前記インジケーションに基づいて、前記受信されたＤＬ送信のサブセットのみについての前記ＡＣＫ／ＮＡＣＫを送ることをさらに備える、
請求項１２に記載の方法。
【請求項１８】
ｅＮＢによって確認応答されることになる、前記少なくとも１つのＵＥによる前記送信されたＵＬ送信のうちの１つまたは複数のインジケーションを受信することをさらに備え、前記ｅＮＢによって確認応答されることになる、前記送信されたＵＬ送信のうちの前記１つまたは複数の前記インジケーションは、前記送信されたＵＬ送信のサブセットのみについての前記ＡＣＫ／ＮＡＣＫを受信するように前記少なくとも１つのＵＥを構成するために使用される、
請求項１２に記載の方法。
【請求項１９】
前記インジケーションは、前記受信されたＤＬ送信についての前記ＡＣＫ／ＮＡＣＫを送信するときに使用されることになるサブフレームの第１のセットまたは前記送られたＵＬ送信についての前記ＡＣＫ／ＮＡＣＫを受信するときに使用されることになるサブフレームの第２のセットのうちの少なくとも１つを備える、
請求項１２に記載の方法。
【請求項２０】
サブフレームの前記第１のセットまたはサブフレームの前記第２のセットの前記インジケーションは明示的なインジケーションである、
請求項１９に記載の方法。
【請求項２１】
サブフレームの前記第１のセットまたはサブフレームの前記第２のセットの前記インジケーションは暗黙的なインジケーションである、請求項１９に記載の方法。
【請求項２２】
サブフレームの前記第１のセットについての前記暗黙的なインジケーションは、前記ＵＥの識別情報、ＤＬ送信のサブフレームのインデックス、および前記受信されたＤＬ送信についての前記ＡＣＫ／ＮＡＣＫの送信に関連する遅延のうちの少なくとも１つの関数に基づく、および／または
サブフレームの前記第２のセットについての前記暗黙的なインジケーションは、前記少なくとも１つのＵＥの識別情報、ＵＬ送信のサブフレームのインデックス、および前記送信されたＵＬ送信についての前記ＡＣＫ／ＮＡＣＫの送信に関連する遅延のうちの少なくとも１つの関数に基づく、
請求項２１に記載の方法。
【請求項２３】
ワイヤレス通信のための装置であって、前記装置は、発展型ノードＢ（ｅＮＢ）であり、
少なくとも１つのユーザ機器（ＵＥ）に、
前記少なくとも１つのＵＥによって受信されたダウンリンク（ＤＬ）送信についての前記少なくとも１つのＵＥによる肯定応答（ＡＣＫ）／否定応答（ＮＡＣＫ）の送信に使用されることになる１つまたは複数のサブフレームの第１の構成、または、
前記少なくとも１つのＵＥによって送られたアップリンク（ＵＬ）送信についての前記少なくとも１つのＵＥによるＡＣＫ／ＮＡＣＫの受信に使用されることになる１つまたは複数のサブフレームの第２の構成、
のうちの少なくとも１つにおける変更を通知するための手段と、
ここにおいて、前記通知することは、無線リソース制御（ＲＲＣ）構成メッセージを介するものである、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のサブフレームを前記少なくとも１つのＵＥに示すための手段と
を備える装置。
【請求項２４】
ワイヤレス通信のための装置であって、前記装置は、ユーザ機器（ＵＥ）であり、
前記ＵＥによって受信されたダウンリンク（ＤＬ）送信についての肯定応答（ＡＣＫ）／否定応答（ＮＡＣＫ）の送信に使用されることになる１つまたは複数のサブフレームの第１の構成、または、
前記ＵＥによって送られたアップリンク（ＵＬ）送信についてのＡＣＫ／ＮＡＣＫの受信に使用されることになる１つまたは複数のサブフレームの第２の構成、
のうちの少なくとも１つにおける変更の情報を発展型ノードＢ（ｅＮＢ）から受信するための手段と、
ここにおいて、前記受信することは、無線リソース制御（ＲＲＣ）構成メッセージを介するものである、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のサブフレームを備えるインジケーションを受信するための手段と
を備える装置。
【請求項２５】
発展型ノードＢ（ｅＮＢ）での使用のためのコンピュータプログラムであって、
ワイヤレス通信のためのコンピュータ実行可能なコードを備えし、前記コンピュータ実行可能なコードは、本願請求項１の方法を実行するためのコードを備える、コンピュータプログラム。
【請求項２６】
ユーザ機器（ＵＥ）での使用のためのコンピュータプログラムであって、
ワイヤレス通信のためのコンピュータ実行可能なコードを備えし、前記コンピュータ実行可能なコードは、本願請求項１２の方法を実行するためのコードを備える、コンピュータプログラム。
【発明の詳細な説明】
【関連出願】
【０００１】
[0001]本出願は、その全体が参照により本明細書に明確に組み込まれる、２０１３年３月１６日に出願された「APPARATUS AND METHOD FOR SCHEDULING DELAYED ACKS/NACKS IN LTE CELLULAR SYSTEMS」と題する米国非仮出願第１３／８４４，８６４号の優先権を主張する。
【技術分野】
【０００２】
[0002]本開示は、一般に通信システムに関し、より詳細には、ロングタームエボリューション（ＬＴＥ）セルラーシステムにおいて遅延した肯定応答（ＡＣＫ）／否定応答（ＮＡＣＫ）をスケジュールするための装置および方法に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ）によって公表されたユニバーサルモバイルテレコミュニケーションズシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置はｅＮＢであり得る。ｅＮＢは少なくとも１つのユーザ機器（ＵＥ）に、少なくとも１つのＵＥによって受信されたダウンリンク（ＤＬ）送信についての少なくとも１つのＵＥによるＡＣＫ／ＮＡＣＫの送信のための第１の構成および少なくとも１つのＵＥによって送られたアップリンク（ＵＬ）送信についての少なくとも１つのＵＥによるＡＣＫ／ＮＡＣＫの受信のための第２の構成のうちの少なくとも１つにおける変更を通知する。ｅＮＢは、少なくとも１つのＵＥが受信されたＤＬ送信についてのＡＣＫ／ＮＡＣＫを送信することになるか、または送られたＵＬ送信についてのＡＣＫ／ＮＡＣＫを受信することになる１つまたは複数のリソースを少なくとも１つのＵＥに示す。一構成では、ｅＮＢは、少なくとも１つのＵＥがＡＣＫ／ＮＡＣＫにより確認応答する必要があるＤＬ送信のサブセットと、ｅＮＢがＡＣＫ／ＮＡＣＫにより確認応答することになる少なくとも１つのＵＥによるＵＬ送信のサブセットとを少なくとも１つのＵＥに示す。ｅＮＢはまた、ＤＬ送信とその送信についての対応するＡＣＫ／ＮＡＣＫとの間、またはＵＬ送信とその送信についての対応するＡＣＫ／ＮＡＣＫとの間の遅延期間を示し得る。ｅＮＢはさらに、遅延期間がＵＥによってどのように導入されるべきかを示し得る。
【０００６】
[0006]本開示の別の態様では、方法、コンピュータプログラム製品、および装置が提供される。本装置はＵＥであり得る。ＵＥは、ＵＥによって受信されたＤＬ送信についてのＡＣＫ／ＮＡＣＫの送信のための第１の構成およびＵＥによって送られたＵＬ送信についてのＡＣＫ／ＮＡＣＫの受信のための第２の構成のうちの少なくとも１つにおける変更の情報を受信する。ＵＥは、受信されたＤＬ送信についてのＡＣＫ／ＮＡＣＫが送信されることになるか、または送られたＵＬ送信についてのＡＣＫ／ＮＡＣＫが受信されることになる１つまたは複数のリソースを備えるインジケーションを受信する。ＵＥは、ＵＥがｅＮＢに確認応答する必要があるＤＬ送信のサブセットおよび／またはｅＮＢによって確認応答されることになるＵＬ送信のサブセットのインジケーションを受信する。
【図面の簡単な説明】
【０００７】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】ワイヤレス通信システムの図。
【図８Ａ】送信と対応する確認応答とを示すＬＴＥフレームを示す図。
【図８Ｂ】送信と対応する確認応答とを示すＬＴＥフレームを示す図。
【図８Ｃ】送信と対応する確認応答とを示すＬＴＥフレームを示す図。
【図９Ａ】送信の受信と対応する確認応答とを示すＬＴＥフレームを示す図。
【図９Ｂ】送信の受信と対応する確認応答とを示すＬＴＥフレームを示す図。
【図９Ｃ】送信の受信と対応する確認応答とを示すＬＴＥフレームを示す図。
【図９Ｄ】送信の受信と対応する確認応答とを示すＬＴＥフレームを示す図。
【図１０】ワイヤレス通信システムの図。
【図１１】ワイヤレス通信の方法のフローチャート。
【図１２Ａ】ワイヤレス通信の方法のフローチャート。
【図１２Ｂ】ワイヤレス通信の方法のフローチャート。
【図１２Ｃ】ワイヤレス通信の方法のフローチャート。
【図１３】ワイヤレス通信の方法のフローチャート。
【図１４Ａ】ワイヤレス通信の方法のフローチャート。
【図１４Ｂ】ワイヤレス通信の方法のフローチャート。
【図１４Ｃ】ワイヤレス通信の方法のフローチャート。
【図１５】例示的な装置中の異なるモジュール／手段／構成要素間のデータフローを示す概念データフロー図。
【図１６】処理システムを用いる装置のためのハードウェア実装の一例を示す図。
【図１７】例示的な装置中の異なるモジュール／手段／構成要素間のデータフローを示す概念データフロー図。
【図１８】処理システムを用いる装置のためのハードウェア実装の一例を示す図。
【発明を実施するための形態】
【０００８】
[0025]添付の図面とともに以下に説明する詳細な説明は、様々な構成の説明として意図されており、本明細書で説明する概念が実施され得る唯一の構成を表すことは意図されていない。詳細な説明は、様々な概念の完全な理解を提供する目的で具体的詳細を含む。しかしながら、これらの概念がこれらの具体的詳細なしに実施されてもよいことは、当業者には明らかであろう。場合によっては、よく知られた構造および構成要素は、そのような概念を不明瞭にするのを避けるためにブロック図の形で示される。
【０００９】
[0026]次に、様々な装置および方法に関して電気通信システムのいくつかの態様が提示される。これらの装置および方法が、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意のコンビネーションを使用して実装されてもよい。そのような要素がハードウェアとして実装されるかまたはソフトウェアとして実装されるかは、特定の適用例および全体的なシステムに課された設計制約に依存する。
【００１０】
[0027]例として、要素、または要素の任意の部分、または要素の任意のコンビネーションは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の適切なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味すると広く解釈されたい。
【００１１】
[0028]したがって、１つまたは複数の例示的な実施形態では、説明する機能は、ハードウェア、ソフトウェア、ファームウェア、またはそれらの任意のコンビネーションで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるような、ディスク（disk）およびディスク（disc）は、コンパクトディスク（ＣＤ）、レーザーディスク（登録商標）、光ディスク、デジタル多用途ディスク（ＤＶＤ）、およびフロッピー（登録商標）ディスクを含み、ディスク（disk）は通常、データを磁気的に再生し、一方ディスク（disc）は、データをレーザーで光学的に再生する。上記のコンビネーションもコンピュータ可読媒体の範囲内に含まれるべきである。
【００１２】
[0029]図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳテレストリアルラジオアクセスネットワーク（Ｅ−ＵＴＲＡＮ）１０４と、発展型パケットコア（ＥＰＣ）１１０と、ホーム加入者サーバ（ＨＳＳ）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0030]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0031]ｅＮＢ１０６はＥＰＣ１１０に接続される。ＥＰＣ１１０は、モビリティ管理エンティティ（ＭＭＥ）１１２と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ）１２６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ）と、ＰＳストリーミングサービス（ＰＳＳ）とを含む場合がある。ＢＭ−ＳＣ１２６はＭＢＭＳトラフィックのソースである。ＭＢＭＳゲートウェイ１２４はＭＢＭＳトラフィックをｅＮＢ１０６、１０８に分配する。
【００１５】
[0032]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。
【００１６】
[0033]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサルテレストリアルラジオアクセス（ＵＴＲＡ）、ＴＤＭＡを採用するグローバルシステムフォーモバイル（ＧＳＭ（登録商標））、ならびに、ＯＦＤＭＡを採用する、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0034]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１８】
[0035]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0036]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調する技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２０】
[0037]図３は、ＦＤＤ−ＬＴＥにおけるＤＬフレーム構造の一例を示す図３００である。フレーム（１０ｍｓ）は、等しいサイズの１０個のサブフレームに分割される。各サブフレームは、２つの連続するタイムスロットを含む。２つのタイムスロットを表すためにリソースグリッドが使用されてよく、各タイムスロットはリソースブロックを含む。リソースグリッドは、複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについては、時間領域中に７個の連続するＯＦＤＭシンボル、すなわち８４個のリソース要素を含んでいる。拡張サイクリックプレフィックスについては、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0038]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じさせる。
【００２２】
[0039]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたってよく、周波数をホッピングし得る。
【００２３】
[0040]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨの試みは単一のサブフレーム（１ｍｓ）中でまたは少数の連続サブフレームのシーケンス中で搬送され、ＵＥは、フレーム（１０ｍｓ）ごとに単一のＰＲＡＣＨの試みだけを行うことができる。
【００２４】
[0041]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担う。
【００２５】
[0042]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めて、Ｌ２レイヤ５０８の上にいくつかの上位レイヤを有し得る。
【００２６】
[0043]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとをもたらす。ＲＬＣサブレイヤ５１２は、上位レイヤデータパケットのセグメンテーションおよびリアセンブリと、ロストデータパケットの再送信と、ハイブリッド自動再送要求（ＨＡＲＱ）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担う。ＭＡＣサブレイヤ５１０はまた、ＨＡＲＱ動作を担う。
【００２７】
[0044]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００２８】
[0045]図６は、アクセスネットワーク中でｅＮＢ６１０がＵＥ６５０と通信しているブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、ロストパケットの再送信と、ＵＥ６５０へのシグナリングとを担う。
【００２９】
[0046]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相偏移変調（ＢＰＳＫ）、４位相偏移変調（ＱＰＳＫ）、Ｍ位相偏移変調（Ｍ−ＰＳＫ）、多値直交振幅変調（Ｍ−ＱＡＭ））に基づいた信号コンスタレーションへのマッピングとを容易にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに組み合されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００３０】
[0047]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに組み合され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３１】
[0048]コントローラ／プロセッサ６５９は、Ｌ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離することと、パケットリアセンブリと、暗号解読することと、ヘッダ解凍（decompression）と、制御信号処理とを行う。上位レイヤパケットは、次いで、Ｌ２レイヤの上のすべてのプロトコルレイヤを表すデータシンク６６２に与えられる。また、様々な制御信号が、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３２】
[0049]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、ロストパケットの再送信と、ｅＮＢ６１０へのシグナリングとを担う。
【００３３】
[0050]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３４】
[0051]ＵＬ送信は、ＵＥ６５０における受信機機能に関して説明された方法と同様の方法でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３５】
[0052]コントローラ／プロセッサ６７５は、Ｌ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離することと、パケットリアセンブリと、暗号解読することと、ヘッダ解凍と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３６】
[0053]ＬＴＥシステムでは、ＵＬ送信およびＤＬ送信へのＡＣＫが自動的にスケジュールされる。ＦＤＤシステムでは、たとえば、送信へのＡＣＫ／ＮＡＣＫが４サブフレーム後にスケジュールされ得る。ＴＤＤシステムでは、スケジューリングはＵＬ−ＤＬ構成に依存する。しかしながら、いくつかのサブフレームでは、受信機への干渉が高くて、ＡＣＫ／ＮＡＣＫが信頼できないものとなることがある。たとえば、フェムトセルは、マクロセルのカバレージで動作することがあり、マクロ基地局とリソースをタイムシェアしないことがある。そのような場合、フェムトｅＮＢは、遅延の後にＡＣＫ／ＮＡＣＫ送信をスケジュールすることを選好し得る。そのような遅延が選好され得る別の例としては、フェムトセルの省電力モードがある。小規模セルｅＮＢは、いくつかのサブフレーム中にそれの受信機をオフにすることがあり、後のサブフレームにおいてＤＬ送信についてのＡＣＫ／ＮＡＣＫ送信をスケジュールすることがある。その上、ＨＡＲＱ段階によっては、冗長であるＡＣＫ／ＮＡＣＫ送信もあり得る。たとえば、ＨＡＲＱプロセスが５回の送信で完了すると予想される場合、最初の２回のＮＡＣＫ送信は、大部分が冗長である。この場合、ｅＮＢは、ＡＣＫ／ＮＡＣＫ送信のサブセットのみを受信することを選好し得る。ｅＮＢは、ＡＣＫ／ＮＡＣＫが送信されることになるＤＬ送信のサブセットをＵＥに示すことができる。これは、ＵＥが電力を節約するとともに、共有制御チャネルで干渉を低減するのを助ける。
【００３７】
[0054]図７は、ワイヤレス通信システムの図７００である。ワイヤレス通信システム７００は、ｅＮＢ７０２と、ｅＮＢ７０２と通信しているＵＥ７０４とを含む。図７に示すように、ｅＮＢ７０２はＵＥ７０４に、第１の送信７０６を送り、続いて第２の送信７０８を送ることができる。たとえば、第１および第２の送信７０６、７０８はデータ送信であり得る。以下で説明するように、ＵＥ７０４は、ＵＥ７０４によって適用されたＡＣＫ／ＮＡＣＫを送信するための構成に従って、第１の送信７０６および／または第２の送信７０８についてｅＮＢ７０２にＡＣＫ／ＮＡＣＫ７１０を送ることができる。
【００３８】
[0055]一態様では、ｅＮＢ７０２は、ＵＥ７０４によって受信されたＤＬ送信についてのＵＥ７０４によるＡＣＫ／ＮＡＣＫの送信のための第１の構成における変更をＵＥ７０４に通知することができる。ｅＮＢ７０２は、ＵＥ７０４が受信されたＤＬ送信についてのＡＣＫ／ＮＡＣＫを送信することになるか、または送られたＵＬ送信についてのＡＣＫ／ＮＡＣＫを受信することになる１つまたは複数のリソースをＵＥ７０４に示すことができる。たとえば、１つまたは複数のリソースは、ＡＣＫ／ＮＡＣＫが送信されることになるサブフレームのインデックスまたはそれらのサブフレームにおけるリソースのインデックスであり得る。一態様では、インジケーションは、受信されたＤＬ送信についてのＡＣＫ／ＮＡＣＫを送信するときにＵＥ７０４によって使用されることになるリソースの第１のセットを含むことができる。一構成では、リソースの第１のセットまたはリソースの第２のセットのインジケーションは明示的なインジケーションであり得る。たとえば、明示的なインジケーションは、ＵＥ７０４がＡＣＫ／ＮＡＣＫを送信または受信し得る特定のサブフレームを識別することができる。別の構成では、リソースの第１のセットまたはリソースの第２のセットのインジケーションは暗黙的なインジケーションであり得る。そのような構成では、暗黙的なインジケーションは、ＵＥ７０４の識別情報、ＤＬ送信のリソースのインデックス、および／または受信されたＤＬ送信についてのＡＣＫ／ＮＡＣＫの送信に関連する遅延の関数に基づき得る。
【００３９】
[0056]ｅＮＢ７０２は、ＡＣＫ／ＮＡＣＫの送信を遅延させるための遅延期間をＵＥ７０４に送ることができる。たとえば、遅延期間は、６サブフレームなどのサブフレームの数として、または６．０ミリ秒（ｍｓ）などの時間期間として表され得る。一態様では、ｅＮＢ７０２は、ＵＥ７０４によって確認応答されることになる、受信されたＤＬ送信のうちの１つまたは複数をＵＥ７０４に示すことができる。別の態様では、ＵＥ７０４によって確認応答されることになる、受信されたＤＬ送信のうちの１つまたは複数のインジケーションは、受信されたＤＬ送信のサブセットのみについてのＡＣＫ／ＮＡＣＫを送るようにＵＥ７０４を構成するために使用される。確認応答される必要があるＤＬ送信のサブセットは、事前に決定されてよく、または送信の結果に依存し得る。たとえば、受信されたＤＬ送信のサブセットは、ＵＥ７０４が一連の送信の中で第３の送信ごとにのみＡＣＫ／ＮＡＣＫを送るように構成されるように、すべての第３の送信を含むことができる。別の例として、受信されたＤＬ送信のサブセットは、新しいデータを含むものとして示された送信を除いて、すべての送信を含むことができる。別の例として、受信されたＤＬ送信のサブセットは、新しいデータを示す送信と、ＨＡＲＱプロセスが送信を正常に復号する送信とを含むことができる。
【００４０】
[0057]図８Ａは、送信と送信への対応する確認応答とを示すＬＴＥフレーム８０２を示す図である。図８Ａを参照すると、ｅＮＢ７０２はサブフレーム０（「ＳＦ０」）において第１の送信（「Ｔｘ１」）を送ること、およびサブフレーム１（「ＳＦ１」）において第２の送信（「Ｔｘ２」）を送ることができる。送信は、新しいＨＡＲＱプロセスの第１の送信である場合または直近の確認応答されていない送信（last unacknowledged transmission）である場合に、第１の送信と見なされ得る。ｅＮＢ７０２は、ｅＮＢ７０２によって示された遅延期間に基づいて第１の送信が送られたサブフレームから遅延したサブフレームにおいて、第１の送信への第１のＡＣＫ／ＮＡＣＫ（「ＡＣＫ１」）と第２の送信への第２のＡＣＫ／ＮＡＣＫ（「ＡＣＫ２」）とを同時に受信することができる。遅延期間はまた、遅延期間の後に確認応答される必要がある第１の送信で始まる送信のウィンドウを示すことができる。たとえば、図８Ａでは、第１の送信が送られたサブフレームに関して遅延期間が６サブフレームである場合に、ｅＮＢ７０２はサブフレーム６（「ＳＦ６」）においてＡＣＫ１とＡＣＫ２とを受信する。一態様では、第１の送信および／または第２の送信は、２つ以上のセグメントを含み得る。そのような態様では、ｅＮＢ７０２はＳＦ６において、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを受信することができる。
【００４１】
[0058]図８Ｂは、送信と送信への対応する確認応答とを示すＬＴＥフレーム８０４を示す図である。図８Ｂを参照すると、ｅＮＢ７０２はサブフレーム０（「ＳＦ０」）において第１の送信（「Ｔｘ１」）を送ること、およびサブフレーム１（「ＳＦ１」）において第２の送信（「Ｔｘ２」）を送ることができる。ｅＮＢ７０２は、遅延期間に基づいてＳＦ０から遅延したサブフレームにおいて、第１の送信への第１のＡＣＫ／ＮＡＣＫ（「ＡＣＫ１」）を受信することができる。ｅＮＢ７０２は、遅延期間に基づいてＳＦ１から遅延したサブフレームにおいて、第２の送信への第２のＡＣＫ／ＮＡＣＫ（「ＡＣＫ２」）を受信することができる。たとえば、図８Ｂでは、遅延期間が６サブフレームである場合に、ｅＮＢ７０２はＳＦ６においてＡＣＫ１、およびサブフレーム７（「ＳＦ７」）においてＡＣＫ２を受信することができる。一態様では、第１の送信および／または第２の送信は、２つ以上のセグメントを含み得る。そのような態様では、ｅＮＢ７０２は、ＳＦ６において、第１の送信の２つ以上のセグメントに対応する２つ以上のＡＣＫ／ＮＡＣＫ、および／またはＳＦ７において、第２の送信の２つ以上のセグメントに対応する２つ以上のＡＣＫ／ＮＡＣＫを受信することができる。
【００４２】
[0059]図８Ｃは、送信と送信への対応する確認応答とを示すＬＴＥフレーム８０６を示す図である。図８Ｃを参照すると、ｅＮＢ７０２はサブフレーム０（「ＳＦ０」）において第１の送信（「Ｔｘ１」）を送ること、およびサブフレーム１（「ＳＦ１」）において第２の送信（「Ｔｘ２」）を送ることができる。ｅＮＢ７０２は、遅延期間に基づいて第１の送信が送られたサブフレームから遅延したサブフレームにおいて、第１の送信と第２の送信の両方についての組み合されたＡＣＫ／ＮＡＣＫ（「ＡＣＫ１、２」）を受信することができる。たとえば、図８Ｃでは、第１の送信が送られたサブフレームに関して遅延期間が６サブフレームである場合に、ｅＮＢ７０２はＳＦ６においてＡＣＫ１、２を受信することができる。一態様では、組み合されたＡＣＫ／ＮＡＣＫは、２つの送信のＡＣＫの論理ＡＮＤであり得る。
【００４３】
[0060]一態様では、ＵＥ７０４は、ＵＥ７０４によって受信されたＤＬ送信についてのＡＣＫ／ＮＡＣＫの送信のための第１の構成および／またはＵＥ７０４によって送られたＵＬ送信についてのＡＣＫ／ＮＡＣＫの受信のための第２の構成における変更の情報を受信することができる。ＵＥ７０４はさらに、受信されたＤＬ送信についてのＡＣＫ／ＮＡＣＫが送信されることになるか、または送られたＵＬ送信についてのＡＣＫ／ＮＡＣＫが受信されることになる１つまたは複数のリソースを含むインジケーションを受信することができる。たとえば、１つまたは複数のリソースは、ＡＣＫ／ＮＡＣＫが送信または受信されることになるサブフレームであり得る。一態様では、インジケーションは、受信されたＤＬ送信についてのＡＣＫ／ＮＡＣＫを送信するときにＵＥ７０４によって使用されることになるリソースの第１のセットおよび／または送られたＵＬ送信についてのＡＣＫ／ＮＡＣＫを受信するときにＵＥ７０４によって使用されることになるリソースの第２のセットを含むことができる。一構成では、リソースの第１のセットまたはリソースの第２のセットのインジケーションは明示的なインジケーションであり得る。たとえば、明示的なインジケーションは、ＵＥ７０４がＡＣＫ／ＮＡＣＫを送信または受信し得る特定のサブフレームを識別することができる。別の構成では、リソースの第１のセットまたはリソースの第２のセットのインジケーションは暗黙的なインジケーションであり得る。そのような構成では、暗黙的なインジケーションは、ＵＥ７０４の識別情報、ＤＬ送信のリソースのインデックス、および／または受信されたＤＬ送信についてのＡＣＫ／ＮＡＣＫの送信に関連する遅延の関数に基づき得る。
【００４４】
[0061]ＵＥ７０４は、ＡＣＫ／ＮＡＣＫの送信を遅延させるための遅延期間を受信することができる。たとえば、遅延期間は、６サブフレームなどのサブフレームの数として、または６．０ｍｓなどの時間期間として表され得る。ＵＥ７０４は、確認応答されることになる、受信されたＤＬ送信のうちの１つまたは複数のインジケーションを受信することができる。一態様では、インジケーションは、ＵＥ７０４が受信されたＤＬ送信のサブセットのみについてのＡＣＫ／ＮＡＣＫを送ることになることを示す。たとえば、受信されたＤＬ送信のサブセットは、ＵＥ７０４が一連の送信の中で第３の送信ごとにのみＡＣＫ／ＮＡＣＫを送るように、すべての第３の送信を含むことができる。別の例として、受信されたＤＬ送信のサブセットは、新しいデータを含むものとして示された送信を除いて、すべての送信を含むことができる。ＵＥ７０４は、第１のサブフレームにおいて第１の送信を受信することができる。次いでＵＥ７０４は、第１のサブフレームの後の第２のサブフレームにおいて第２の送信を受信することができる。たとえば、第１および第２の送信はデータ送信であり得る。次いでＵＥ７０４は、ＵＥ７０４によって適用されたＡＣＫ／ＮＡＣＫの送信のための構成に基づいて、第１および第２のデータ送信に対応するＡＣＫ／ＮＡＣＫを送ることができる。
【００４５】
[0062]図９Ａは、送信の受信と受信された送信への対応する確認応答とを示すＬＴＥフレーム９０２を示す図である。図９Ａを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。次いでＵＥ７０４は、遅延期間に基づいて第１の送信が受信されたサブフレームから遅延したサブフレームにおいて、第１の送信への第１のＡＣＫ／ＮＡＣＫ（「ＡＣＫ１」）と第２の送信への第２のＡＣＫ／ＮＡＣＫ（「ＡＣＫ２」）とを同時に送ることができる。たとえば、図９Ａでは、第１の送信が受信されたサブフレームに関して遅延期間が６サブフレームである場合に、ＵＥ７０４はサブフレーム６（「ＳＦ６」）においてＡＣＫ１とＡＣＫ２とを送ることができる。一態様では、第１の送信および／または第２の送信は、２つ以上のセグメントを含み得る。そのような態様では、ＵＥ７０４はＳＦ６において、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを送ることができる。
【００４６】
[0063]図９Ｂは、送信の受信と受信された送信への対応する確認応答とを示すＬＴＥフレーム９０４を示す図である。図９Ｂを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。ＵＥ７０４は、遅延期間に基づいてＳＦ０から遅延したサブフレームにおいて、第１の送信への第１のＡＣＫ／ＮＡＣＫ（「ＡＣＫ１」）を送ることができる。ＵＥ７０４は、遅延期間に基づいてＳＦ１から遅延したサブフレームにおいて、第２の送信への第２のＡＣＫ／ＮＡＣＫ（「ＡＣＫ２」）を送ることができる。たとえば、図９Ｂでは、遅延期間が６サブフレームである場合に、ＵＥ７０４はＳＦ６においてＡＣＫ１、およびサブフレーム７（「ＳＦ７」）においてＡＣＫ２を送ることができる。一態様では、第１の送信および／または第２の送信は、２つ以上のセグメントを含み得る。そのような態様では、ＵＥ７０４は、ＳＦ６において、第１の送信の２つ以上のセグメントに対応する２つ以上のＡＣＫ／ＮＡＣＫ、および／またはＳＦ７において、第２の送信の２つ以上のセグメントに対応する２つ以上のＡＣＫ／ＮＡＣＫを送ることができる。
【００４７】
[0064]図９Ｃは、送信の受信と受信された送信への対応する確認応答とを示すＬＴＥフレーム９０６を示す図である。図９Ｃを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。ＵＥ７０４は、遅延期間に基づいて第１の送信が受信されたサブフレームから遅延したサブフレームにおいて、第１の送信と第２の送信の両方についての組み合されたＡＣＫ／ＮＡＣＫ（「ＡＣＫ１、２」）を送ることができる。たとえば、図９Ｃでは、第１の送信が受信されたサブフレームに関して遅延期間が６サブフレームである場合に、ＵＥ７０４はＳＦ６においてＡＣＫ１、２を送る。
【００４８】
[0065]図９Ｄは、送信の受信と受信された送信への対応する確認応答とを示すＬＴＥフレーム９０８を示す図である。図９Ｄを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。ＵＥ７０４は、確認応答されることになる、受信された送信のうちの１つまたは複数のインジケーションに基づいて、受信された送信のサブセットのみについてのＡＣＫ／ＮＡＣＫ（「ＡＣＫ２」）（すなわち、「選択的ＡＣＫ／ＮＡＣＫ」）を送ることができる。たとえば、インジケーションがＵＥ７０４に、ＵＥ７０４によって受信された一連の送信の中で第２の送信ごとにＡＣＫ／ＮＡＣＫを送ることを求めている場合、ＵＥ７０４は、ＳＦ１において受信された第２の送信についてのみサブフレーム５（「ＳＦ５」）においてＡＣＫ２を送ることができる。図９Ｄに示すように、ＵＥ７０４は、第２の送信がＵＥ７０４によって受信されたＳＦ１の４サブフレーム後にＡＣＫ２を送ることができる。ＡＣＫ／ＮＡＣＫの不在が「選択的ＡＣＫ／ＮＡＣＫ」またはＵＥによる物理ダウンリンク制御チャネル（ＰＤＣＣＨ）の受信の失敗のいずれかに起因し得ることに留意されたい。ただし、そのような混乱は、半永続スケジュール（ＳＰＳ）の場合には回避され得る。ＳＰＳの場合、ＰＤＣＣＨは、ＳＰＳの初めにおいてのみ割振り情報を搬送する。したがって、ＰＤＣＣＨの受信が最初のＡＣＫ／ＮＡＣＫを通して確認されると、後続のＡＣＫ／ＮＡＣＫは、そのような混乱なしに遅延し得る。
【００４９】
[0066]図１０は、ワイヤレス通信システムの図１０００である。ワイヤレス通信システム１０００は、ｅＮＢ１００２と、ｅＮＢ１００２と通信しているＵＥ１００４とを含む。図１０に示すように、ＵＥ１００４はｅＮＢ１００２に、第１の送信１００６を送り、続いて第２の送信１００８を送ることができる。たとえば、第１および第２の送信１００６、１００８はデータ送信であり得る。ｅＮＢ１００２は、ｅＮＢ１００２によって適用されたＡＣＫ／ＮＡＣＫを送信するための構成に従って、第１の送信１００６および／または第２の送信１００８についてＵＥ１００４にＡＣＫ／ＮＡＣＫ１０１０を送ることができる。
【００５０】
[0067]一態様では、ｅＮＢ１００２は、ＵＥ１００４によって送られたＵＬ送信についてのＵＥ１００４によるＡＣＫ／ＮＡＣＫの受信のための構成における変更をＵＥ１００４に通知することができる。ｅＮＢ１００２は、ＵＥ１００４が送信されたＵＬ送信についてのＡＣＫ／ＮＡＣＫを受信することになる１つまたは複数のリソースをＵＥ１００４に示すことができる。たとえば、１つまたは複数のリソースは、ＡＣＫ／ＮＡＣＫが受信されることになるサブフレームのインデックスまたはそれらのサブフレームにおけるリソースのインデックスであり得る。一態様では、インジケーションは、送られたＵＬ送信についてのＡＣＫ／ＮＡＣＫを受信するときにＵＥ１００４によって使用されることになるリソースのセットを含むことができる。一構成では、リソースのセットのインジケーションは明示的なインジケーションであり得る。たとえば、明示的なインジケーションは、ＵＥ１００４がＡＣＫ／ＮＡＣＫを受信し得る特定のサブフレームを識別することができる。別の構成では、リソースのセットのインジケーションは暗黙的なインジケーションであり得る。そのような構成では、暗黙的なインジケーションは、ＵＥ１００４の識別情報、ＵＬ送信のリソースのインデックス、および／または送信されたＵＬ送信についてのＡＣＫ／ＮＡＣＫの送信に関連する遅延の関数に基づき得る。
【００５１】
[0068]ｅＮＢ１００２は、ＡＣＫ／ＮＡＣＫの受信を遅延させるための遅延期間をＵＥ１００４に送ることができる。たとえば、遅延期間は、６サブフレームなどのサブフレームの数として、または６．０ミリ秒（ｍｓ）などの時間期間として表され得る。一態様では、ｅＮＢ１００２は、ｅＮＢ１００２によって確認応答されることになる、送信されたＵＬ送信のうちの１つまたは複数をＵＥ１００４に示すことができる。一態様では、ｅＮＢ１００２によって確認応答されることになる、送信されたＵＬ送信のうちの１つまたは複数のインジケーションは、送信されたＵＬ送信のサブセットのみについてのＡＣＫ／ＮＡＣＫを受信するようにＵＥ１００４を構成するために使用される。確認応答される必要があるＵＬ送信のサブセットは、事前に決定されてよく、または送信の結果に依存し得る。たとえば、送信されたＵＬ送信のサブセットは、ＵＥ１００４が一連の送信の中で第３の送信ごとにのみＡＣＫ／ＮＡＣＫを受信するように構成されるように、すべての第３の送信を含むことができる。別の例として、送信されたＵＬ送信のサブセットは、新しいデータを含むものとして示された送信を除いて、すべての送信を含むことができる。別の例として、送信されたＵＬ送信のサブセットは、新しいデータを示す送信と、ＨＡＲＱプロセスが送信を正常に復号する送信とを含むことができる。
【００５２】
[0069]図８Ａを参照すると、ＵＥ１００４はサブフレーム０（「ＳＦ０」）において第１の送信（「Ｔｘ１」）を送ること、およびサブフレーム１（「ＳＦ１」）において第２の送信（「Ｔｘ２」）を送ることができる。送信は、新しいＨＡＲＱプロセスの第１の送信である場合または前回確認応答されていない送信である場合に、第１の送信と見なされ得る。ＵＥ１００４は、ｅＮＢによって示された遅延期間に基づいて第１の送信が送られたサブフレームから遅延したサブフレームにおいて、第１の送信への第１のＡＣＫ／ＮＡＣＫ（「ＡＣＫ１」）と第２の送信への第２のＡＣＫ／ＮＡＣＫ（「ＡＣＫ２」）とを同時に受信することができる。遅延期間はまた、遅延期間の後に確認応答される必要がある第１の送信で始まる送信のウィンドウを示すことができる。たとえば、図８Ａでは、第１の送信が送られたサブフレームに関して遅延期間が６サブフレームである場合に、ＵＥ１００４はサブフレーム６（「ＳＦ６」）においてＡＣＫ１とＡＣＫ２とを受信する。一態様では、第１の送信および／または第２の送信は、２つ以上のセグメントを含み得る。そのような態様では、ＵＥ１００４はＳＦ６において、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを受信することができる。
【００５３】
[0070]図８Ｂを参照すると、ＵＥ１００４はサブフレーム０（「ＳＦ０」）において第１の送信（「Ｔｘ１」）を送ること、およびサブフレーム１（「ＳＦ１」）において第２の送信（「Ｔｘ２」）を送ることができる。ＵＥ１００４は、遅延期間に基づいてＳＦ０から遅延したサブフレームにおいて、第１の送信への第１のＡＣＫ／ＮＡＣＫ（「ＡＣＫ１」）を受信することができる。ＵＥ１００４は、遅延期間に基づいてＳＦ１から遅延したサブフレームにおいて、第２の送信への第２のＡＣＫ／ＮＡＣＫ（「ＡＣＫ２」）を受信することができる。たとえば、図８Ｂでは、遅延期間が６サブフレームである場合に、ＵＥ１００４はＳＦ６においてＡＣＫ１、およびサブフレーム７（「ＳＦ７」）においてＡＣＫ２を受信することができる。一態様では、第１の送信および／または第２の送信は、２つ以上のセグメントを含み得る。そのような態様では、ＵＥ１００４は、ＳＦ６において、第１の送信の２つ以上のセグメントに対応する２つ以上のＡＣＫ／ＮＡＣＫ、および／またはＳＦ７において、第２の送信の２つ以上のセグメントに対応する２つ以上のＡＣＫ／ＮＡＣＫを受信することができる。
【００５４】
[0071]図８Ｃを参照すると、ＵＥ１００４はサブフレーム０（「ＳＦ０」）において第１の送信（「Ｔｘ１」）を送ること、およびサブフレーム１（「ＳＦ１」）において第２の送信（「Ｔｘ２」）を送ることができる。ＵＥ１００４は、遅延期間に基づいて第１の送信が送られたサブフレームから遅延したサブフレームにおいて、第１の送信と第２の送信の両方についての組み合されたＡＣＫ／ＮＡＣＫ（「ＡＣＫ１、２」）を受信することができる。たとえば、図８Ｃでは、第１の送信が送られたサブフレームに関して遅延期間が６サブフレームである場合に、ＵＥ１００４はＳＦ６においてＡＣＫ１、２を受信することができる。一態様では、組み合されたＡＣＫ／ＮＡＣＫは、２つの送信のＡＣＫの論理ＡＮＤであり得る。
【００５５】
[0072]一態様では、ＵＥ１００４は、ＵＥ１００４によって送られたＵＬ送信についてのＡＣＫ／ＮＡＣＫの受信のための構成における変更の情報を受信することができる。ＵＥ１００４はさらに、送られたＵＬ送信についてのＡＣＫ／ＮＡＣＫが受信されることになる１つまたは複数のリソースを含むインジケーションを受信することができる。たとえば、１つまたは複数のリソースは、ＡＣＫ／ＮＡＣＫが受信されることになるサブフレームであり得る。一態様では、インジケーションは、送られたＵＬ送信についてのＡＣＫ／ＮＡＣＫを受信するときにＵＥ１００４によって使用されることになるリソースのセットを含むことができる。一構成では、リソースのセットのインジケーションは明示的なインジケーションであり得る。たとえば、明示的なインジケーションは、ＵＥ１００４がＡＣＫ／ＮＡＣＫを送信または受信し得る特定のサブフレームを識別することができる。別の構成では、リソースのセットのインジケーションは暗黙的なインジケーションであり得る。そのような構成では、暗黙的なインジケーションは、ＵＥ１００４の識別情報、ＵＬ送信のリソースのインデックス、および／または受信されたＵＬ送信についてのＡＣＫ／ＮＡＣＫの送信に関連する遅延の関数に基づき得る。
【００５６】
[0073]ＵＥ１００４は、ＡＣＫ／ＮＡＣＫの受信を遅延させるための遅延期間を受信することができる。たとえば、遅延期間は、６サブフレームなどのサブフレームの数として、または６．０ｍｓなどの時間期間として表され得る。ＵＥ１００４は、確認応答されることになる、送信されたＵＬ送信のうちの１つまたは複数のインジケーションを受信することができる。一態様では、インジケーションは、ｅＮＢ１００２が送信されたＵＬ送信のサブセットのみについてのＡＣＫ／ＮＡＣＫを送ることになることを示す。たとえば、送信されたＵＬ送信のサブセットは、ｅＮＢ１００２が一連の送信の中で第３の送信ごとにのみＡＣＫ／ＮＡＣＫを送るように、すべての第３の送信を含むことができる。別の例として、送信されたＵＬ送信のサブセットは、新しいデータを含むものとして示された送信を除いて、すべての送信を含むことができる。ｅＮＢ１００２は、第１のサブフレームにおいて第１の送信を受信することができる。次いでｅＮＢ１００２は、第１のサブフレームの後の第２のサブフレームにおいて第２の送信を受信することができる。たとえば、第１および第２の送信はデータ送信であり得る。次いでｅＮＢ１００２は、ｅＮＢ１００４によって適用されたＡＣＫ／ＮＡＣＫの送信のための構成に基づいて、第１および第２のデータ送信に対応するＡＣＫ／ＮＡＣＫを送ることができる。
【００５７】
[0074]図９Ａを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。次いでｅＮＢ１００２は、遅延期間に基づいて第１の送信が受信されたサブフレームから遅延したサブフレームにおいて、第１の送信への第１のＡＣＫ／ＮＡＣＫ（「ＡＣＫ１」）と第２の送信への第２のＡＣＫ／ＮＡＣＫ（「ＡＣＫ２」）とを同時に送ることができる。たとえば、図９Ａでは、第１の送信が受信されたサブフレームに関して遅延期間が６サブフレームである場合に、ｅＮＢ１００２はサブフレーム６（「ＳＦ６」）においてＡＣＫ１とＡＣＫ２とを送ることができる。一態様では、第１の送信および／または第２の送信は、２つ以上のセグメントを含み得る。そのような態様では、ｅＮＢ１００２はＳＦ６において、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを送ることができる。
【００５８】
[0075]図９Ｂを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。ｅＮＢ１００２は、遅延期間に基づいてＳＦ０から遅延したサブフレームにおいて、第１の送信への第１のＡＣＫ／ＮＡＣＫ（「ＡＣＫ１」）を送ることができる。ｅＮＢ１００２は、遅延期間に基づいてＳＦ１から遅延したサブフレームにおいて、第２の送信への第２のＡＣＫ／ＮＡＣＫ（「ＡＣＫ２」）を送ることができる。たとえば、図９Ｂでは、遅延期間が６サブフレームである場合に、ｅＮＢ１００２はＳＦ６においてＡＣＫ１、およびサブフレーム７（「ＳＦ７」）においてＡＣＫ２を送ることができる。一態様では、第１の送信および／または第２の送信は、２つ以上のセグメントを含み得る。そのような態様では、ｅＮＢ１００２は、ＳＦ６において、第１の送信の２つ以上のセグメントに対応する２つ以上のＡＣＫ／ＮＡＣＫ、および／またはＳＦ７において、第２の送信の２つ以上のセグメントに対応する２つ以上のＡＣＫ／ＮＡＣＫを送ることができる。
【００５９】
[0076]図９Ｃを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。ｅＮＢ１００２は、遅延期間に基づいて第１の送信が受信されたサブフレームから遅延したサブフレームにおいて、第１の送信と第２の送信の両方についての組み合されたＡＣＫ／ＮＡＣＫ（「ＡＣＫ１、２」）を送ることができる。たとえば、図９Ｃでは、第１の送信が受信されたサブフレームに関して遅延期間が６サブフレームである場合に、ｅＮＢ１００２はＳＦ６においてＡＣＫ１、２を送る。
【００６０】
[0077]図９Ｄを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。ｅＮＢ１００２は、確認応答されることになる、受信された送信のうちの１つまたは複数のインジケーションに基づいて、受信された送信のサブセットのみについてのＡＣＫ／ＮＡＣＫ（「ＡＣＫ２」）を送ることができる。たとえば、インジケーションがｅＮＢ１００２に、ｅＮＢ１００２によって受信された一連の送信の中で第２の送信ごとにＡＣＫ／ＮＡＣＫを送ることを求めている場合、ｅＮＢ１００２は、ＳＦ１において受信された第２の送信についてのみサブフレーム５（「ＳＦ５」）においてＡＣＫ２を送ることができる。図９Ｄに示すように、ｅＮＢ１００２は、第２の送信がｅＮＢ１００２によって受信されたＳＦ１の４サブフレーム後にＡＣＫ２を送ることができる。
【００６１】
[0078]図１１は、ワイヤレス通信の方法のフローチャート１０００である。本方法はｅＮＢによって実行され得る。ステップ１１０２において、ｅＮＢは少なくとも１つのＵＥに、少なくとも１つのＵＥによって受信されたＤＬ送信についての少なくとも１つのＵＥによるＡＣＫ／ＮＡＣＫの送信のための第１の構成および／または少なくとも１つのＵＥによって送られたＵＬ送信についての少なくとも１つのＵＥによるＡＣＫ／ＮＡＣＫの受信のための第２の構成における変更を通知する。たとえば、少なくとも１つのＵＥは、ＲＲＣ接続ＵＥ（RRC connected UE）のサブセットであり得る。一態様では、ｅＮＢは、ＲＲＣ構成メッセージを通して少なくとも１つのＵＥに通知することができる。
【００６２】
[0079]ステップ１１０４において、ｅＮＢは、少なくとも１つのＵＥが受信されたＤＬ送信についてのＡＣＫ／ＮＡＣＫを送信することになるか、または送られたＵＬ送信についてのＡＣＫ／ＮＡＣＫを受信することになる１つまたは複数のリソースを少なくとも１つのＵＥに示す。たとえば、１つまたは複数のリソースは、ＡＣＫ／ＮＡＣＫが送信または受信されることになるサブフレームであり得る。一態様では、インジケーションは、受信されたＤＬ送信についてのＡＣＫ／ＮＡＣＫを送信するときに少なくとも１つのＵＥによって使用されることになるリソースの第１のセットおよび／または送られたＵＬ送信についてのＡＣＫ／ＮＡＣＫを受信するときに少なくとも１つのＵＥによって使用されることになるリソースの第２のセットを含むことができる。一構成では、リソースの第１のセットまたはリソースの第２のセットのインジケーションは明示的なインジケーションであり得る。たとえば、明示的なインジケーションは、ＵＥがＡＣＫ／ＮＡＣＫを送信または受信し得る特定のサブフレームを識別することができる。別の構成では、リソースの第１のセットまたはリソースの第２のセットのインジケーションは暗黙的なインジケーションであり得る。そのような構成では、暗黙的なインジケーションは、少なくとも１つのＵＥの識別情報、ＤＬ送信のリソースのインデックス、および／または受信されたＤＬ送信についてのＡＣＫ／ＮＡＣＫの送信に関連する遅延の関数に基づき得る。たとえば、第ｎのサブフレームの後にＡＣＫ／ＮＡＣＫを送信するＵＥは、第ｎのＰＵＣＣＨにおいて送信することを求められ得る。
【００６３】
[0080]図１２Ａ、図１２Ｂ、および図１２Ｃは、ワイヤレス通信の方法のフローチャート１２００である。本方法はｅＮＢによって実行され得る。ステップ１２０２において、ｅＮＢは少なくとも１つのＵＥに、少なくとも１つのＵＥによって受信されたＤＬ送信についての少なくとも１つのＵＥによるＡＣＫ／ＮＡＣＫの送信のための第１の構成および／または少なくとも１つのＵＥによって送られたＵＬ送信についての少なくとも１つのＵＥによるＡＣＫ／ＮＡＣＫの受信のための第２の構成における変更を通知する。たとえば、少なくとも１つのＵＥは、ＲＲＣ接続ＵＥのサブセットであり得る。一態様では、ｅＮＢは、ＲＲＣ構成メッセージを通して少なくとも１つのＵＥに通知することができる。
【００６４】
[0081]ステップ１２０４において、ｅＮＢは、少なくとも１つのＵＥが受信されたＤＬ送信についてのＡＣＫ／ＮＡＣＫを送信することになるか、または送られたＵＬ送信についてのＡＣＫ／ＮＡＣＫを受信することになる１つまたは複数のリソースを少なくとも１つのＵＥに示す。たとえば、１つまたは複数のリソースは、ＡＣＫ／ＮＡＣＫが送信または受信されることになるサブフレームであり得る。一態様では、インジケーションは、受信されたＤＬ送信についてのＡＣＫ／ＮＡＣＫを送信するときに少なくとも１つのＵＥによって使用されることになるリソースの第１のセットおよび／または送られたＵＬ送信についてのＡＣＫ／ＮＡＣＫを受信するときに少なくとも１つのＵＥによって使用されることになるリソースの第２のセットを含むことができる。一構成では、リソースの第１のセットまたはリソースの第２のセットのインジケーションは明示的なインジケーションであり得る。たとえば、明示的なインジケーションは、ＵＥがＡＣＫ／ＮＡＣＫを送信または受信し得る特定のサブフレームを識別することができる。別の構成では、リソースの第１のセットまたはリソースの第２のセットのインジケーションは暗黙的なインジケーションであり得る。そのような構成では、暗黙的なインジケーションは、少なくとも１つのＵＥの識別情報、ＤＬ送信のリソースのインデックス、および／または受信されたＤＬ送信についてのＡＣＫ／ＮＡＣＫの送信に関連する遅延の関数に基づき得る。たとえば、第ｎのサブフレームの後にＡＣＫ／ＮＡＣＫを送信するＵＥは、第ｎのＰＵＣＣＨにおいて送信することを求められ得る。
【００６５】
[0082]ステップ１２０６において、ｅＮＢは、ＡＣＫ／ＮＡＣＫの送信を遅延させるための遅延期間を少なくとも１つのＵＥに送る。たとえば、遅延期間は６サブフレームまたは６．０ｍｓであり得る。
【００６６】
[0083]ステップ１２０８において、ｅＮＢは、少なくとも１つのＵＥによって確認応答されることになる、受信されたＤＬ送信のうちの１つまたは複数を少なくとも１つのＵＥに示す。一態様では、少なくとも１つのＵＥによって確認応答されることになる、受信されたＤＬ送信のうちの１つまたは複数のインジケーションは、受信されたＤＬ送信のサブセットのみについてのＡＣＫ／ＮＡＣＫを送るように少なくとも１つのＵＥを構成するために使用される。たとえば、受信されたＤＬ送信のサブセットは、少なくとも１つのＵＥが一連の送信の中で第３の送信ごとにのみＡＣＫ／ＮＡＣＫを送るように構成されるように、すべての第３の送信を含むことができる。別の例として、受信されたＤＬ送信のサブセットは、新しいデータを含むものとして示された送信を除いて、すべての送信を含むことができる。
【００６７】
[0084]ステップ１２０９において、ｅＮＢは、ｅＮＢによって確認応答されることになる、少なくとも１つのＵＥからの送信されたＵＬ送信のうちの１つまたは複数を少なくとも１つのＵＥに示す。一態様では、ｅＮＢによって確認応答されることになる、送信されたＵＬ送信のうちの１つまたは複数のインジケーションは、送信されたＵＬ送信のサブセットのみについてのＡＣＫ／ＮＡＣＫを受信するように少なくとも１つのＵＥを構成するために使用される。たとえば、送信されたＵＬ送信のサブセットは、ＵＥが一連の送信の中で第３の送信ごとにのみＡＣＫ／ＮＡＣＫを受信するように構成されるように、すべての第３の送信を含むことができる。別の例として、送信されたＵＬ送信のサブセットは、新しいデータを含むものとして示された送信を除いて、すべての送信を含むことができる。
【００６８】
[0085]次に図１２Ｂを参照すると、ステップ１２１０において、ｅＮＢは第１のサブフレームにおいて第１の送信を少なくとも１つのＵＥに送る。たとえば、第１の送信はデータ送信であり得る。
【００６９】
[0086]ステップ１２１２において、ｅＮＢは、第１のサブフレームの後の第２のサブフレームにおいて第２の送信を少なくとも１つのＵＥに送る。たとえば、第２の送信はデータ送信であり得る。
【００７０】
[0087]ステップ１２１４において、ｅＮＢは、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとを少なくとも１つのＵＥから同時に受信する。たとえば、第１の送信（「Ｔｘ１」）がＳＦ０においてｅＮＢによって送られ、第２の送信（「Ｔｘ２」）がＳＦ１においてｅＮＢによって送られる図８Ａを参照すると、第１の送信が送られたサブフレームに関して遅延期間が６サブフレームである場合に、ｅＮＢはサブフレーム６（「ＳＦ６」）においてＡＣＫ１とＡＣＫ２とを受信する。一態様では、第１の送信および／または第２の送信は、２つ以上のセグメントを含み得る。そのような態様では、ｅＮＢは第３のサブフレームにおいて、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを受信することができる。
【００７１】
[0088]ステップ１２１６において、ｅＮＢは、遅延期間に基づいて第１のサブフレームから遅延した第３のサブフレームにおいて、第１の送信への第１のＡＣＫ／ＮＡＣＫを少なくとも１つのＵＥから受信する。一態様では、第１の送信は、２つ以上のセグメントを含み得る。そのような態様では、ｅＮＢは第３のサブフレームにおいて、第１の送信の２つ以上のセグメントに対応する２つ以上のＡＣＫ／ＮＡＣＫを受信することができる。
【００７２】
[0089]ステップ１２１８において、ｅＮＢは、遅延期間に基づいて第２のサブフレームから遅延した第４のサブフレームにおいて、第２の送信への第２のＡＣＫ／ＮＡＣＫを少なくとも１つのＵＥから受信する。一態様では、第２の送信は、２つ以上のセグメントを含み得る。そのような態様では、ｅＮＢは第４のサブフレームにおいて、第２の送信の２つ以上のセグメントに対応する２つ以上のＡＣＫ／ＮＡＣＫを受信することができる。
【００７３】
[0090]たとえば、図８Ｂを参照すると、ｅＮＢ７０２はサブフレーム０（「ＳＦ０」）において第１の送信（「Ｔｘ１」）を送ること、およびサブフレーム１（「ＳＦ１」）において第２の送信（「Ｔｘ２」）を送ることができる。ｅＮＢ７０２は、遅延期間に基づいてＳＦ０から遅延したサブフレームにおいて、第１の送信への第１のＡＣＫ／ＮＡＣＫ（「ＡＣＫ１」）を受信することができる。次いでｅＮＢ７０２は、遅延期間に基づいてＳＦ１から遅延したサブフレームにおいて、第２の送信への第２のＡＣＫ／ＮＡＣＫ（「ＡＣＫ２」）を受信することができる。たとえば、図８Ｂでは、遅延期間が６サブフレームである場合に、ｅＮＢ７０２はＳＦ６においてＡＣＫ１、およびサブフレーム７（「ＳＦ７」）においてＡＣＫ２を受信する。
【００７４】
[0091]ステップ１２２０において、ｅＮＢは、遅延期間に基づいて第１のサブフレームから遅延した第３のサブフレームにおいて、第１の送信と第２の送信の両方についての組み合されたＡＣＫ／ＮＡＣＫを少なくとも１つのＵＥから受信する。たとえば、ｅＮＢは第３のサブフレームにおいて、第１の送信と第２の送信の両方に確認応答する単一のＡＣＫを受信することができる。
【００７５】
[0092]たとえば、図８Ｃを参照すると、ｅＮＢ７０２はサブフレーム０（「ＳＦ０」）において第１の送信（「Ｔｘ１」）を送ること、およびサブフレーム１（「ＳＦ１」）において第２の送信（「Ｔｘ２」）を送ることができる。次いでｅＮＢ７０２は、遅延期間に基づいて第１の送信が送られたサブフレームから遅延したサブフレームにおいて、第１の送信と第２の送信の両方についての組み合されたＡＣＫ／ＮＡＣＫ（「ＡＣＫ１、２」）を受信することができる。たとえば、図８Ｃでは、第１の送信が送られたサブフレームに関して遅延期間が６サブフレームである場合に、ｅＮＢ７０２はＳＦ６においてＡＣＫ１、２を受信する。
【００７６】
[0093]次に図１２Ｃを参照すると、ステップ１２２２において、ｅＮＢは第１のサブフレームにおいて第１の送信を少なくとも１つのＵＥから受信する。たとえば、第１の送信はデータ送信であり得る。
【００７７】
[0094]ステップ１２２４において、ｅＮＢは、第１のサブフレームの後の第２のサブフレームにおいて、少なくとも１つのＵＥから第２の送信を受信する。たとえば、第２の送信はデータ送信であり得る。
【００７８】
[0095]ステップ１２２６において、ｅＮＢは、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとをＵＥに同時に送ることができる。一態様では、第１の送信および／または第２の送信は、２つ以上のセグメントを含み得る。そのような態様では、ｅＮＢは第３のサブフレームにおいて、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを同時に送ることができる。
【００７９】
[0096]たとえば、図９Ａを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。次いでｅＮＢ１００２は、遅延期間に基づいて第１の送信が受信されたサブフレームから遅延したサブフレームにおいて、第１の送信への第１のＡＣＫ／ＮＡＣＫ（「ＡＣＫ１」）と第２の送信への第２のＡＣＫ／ＮＡＣＫ（「ＡＣＫ２」）とをＵＥ１００４に同時に送ることができる。たとえば、図９Ａでは、第１の送信が受信されたサブフレームに関して遅延期間が６サブフレームである場合に、ｅＮＢ１００２はサブフレーム６（「ＳＦ６」）においてＡＣＫ１とＡＣＫ２とを送る。
【００８０】
[0097]ステップ１２２８において、ｅＮＢは、遅延期間に基づいて第１のサブフレームから遅延した第３のサブフレームにおいて、第１の送信への第１のＡＣＫ／ＮＡＣＫを少なくとも１つのＵＥに送る。一態様では、第１の送信は、２つ以上のセグメントを含み得る。そのような態様では、ｅＮＢは第３のサブフレームにおいて、第１の送信の２つ以上のセグメントに対応する２つ以上のＡＣＫ／ＮＡＣＫを送ることができる。
【００８１】
[0098]ステップ１２３０において、ｅＮＢは、遅延期間に基づいて第２のサブフレームから遅延した第４のサブフレームにおいて、第２の送信への第２のＡＣＫ／ＮＡＣＫを少なくとも１つのＵＥに送る。一態様では、第２の送信は、２つ以上のセグメントを含み得る。そのような態様では、ｅＮＢは第４のサブフレームにおいて、第２の送信の２つ以上のセグメントに対応する２つ以上のＡＣＫ／ＮＡＣＫを送ることができる。
【００８２】
[0099]たとえば、図９Ｂを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。ｅＮＢは、遅延期間に基づいてＳＦ０から遅延したサブフレームにおいて、第１の送信への第１のＡＣＫ／ＮＡＣＫ（「ＡＣＫ１」）を送ることができる。次いでｅＮＢ１００２は、遅延期間に基づいてＳＦ１から遅延したサブフレームにおいて、第２の送信への第２のＡＣＫ／ＮＡＣＫ（「ＡＣＫ２」）を送ることができる。たとえば、図９Ｂでは、遅延期間が６サブフレームである場合に、ｅＮＢ１００２はＳＦ６においてＡＣＫ１、およびサブフレーム７（「ＳＦ７」）においてＡＣＫ２を送る。
【００８３】
[00100]ステップ１２３２において、ｅＮＢは、遅延期間に基づいて第１のサブフレームから遅延した第３のサブフレームにおいて、第１の送信と第２の送信の両方についての組み合されたＡＣＫ／ＮＡＣＫを少なくとも１つのＵＥに送る。たとえば、ｅＮＢは第３のサブフレームにおいて、第１の送信と第２の送信の両方に確認応答する単一のＡＣＫを送ることができる。
【００８４】
[00101]たとえば、図９Ｃを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。次いでｅＮＢ１００２は、遅延期間に基づいて第１の送信が受信されたサブフレームから遅延したサブフレームにおいて、第１の送信と第２の送信の両方についての組み合されたＡＣＫ／ＮＡＣＫ（「ＡＣＫ１、２」）を送ることができる。たとえば、図９Ｃでは、第１の送信が受信されたサブフレームに関して遅延期間が６サブフレームである場合に、ｅＮＢ１００２はＳＦ６においてＡＣＫ１、２を送る。
【００８５】
[00102]ステップ１２３４において、ｅＮＢは、確認応答されることになる、受信されたＵＬ送信のうちの１つまたは複数のインジケーションに基づいて、送信されたＵＬ送信のサブセットのみについてのＡＣＫ／ＮＡＣＫを少なくともＵＥに送る。
【００８６】
[00103]たとえば、図９Ｄを参照すると、ｅＮＢ１００２はサブフレーム０（「ＳＦ０」）において第１の送信（「Ｒｘ１」）を受信すること、およびサブフレーム１（「ＳＦ１」）において第２の送信（「Ｒｘ２」）を受信することができる。ｅＮＢ１００２は、確認応答されることになる、ＵＥ１００４からの送信のうちの１つまたは複数のインジケーションに基づいて、ＵＥ１００４からの送信のサブセットのみについてのＡＣＫ／ＮＡＣＫ（「ＡＣＫ２」）を送ることができる。たとえば、インジケーションがｅＮＢ１００２に、ＵＥ１００４からの一連の送信の中でＵＥ１００４からの第２の送信ごとに（すなわち、１送信おきに）ＡＣＫ／ＮＡＣＫを送ることを求めている場合、ｅＮＢ１００２は、ＳＦ１においてｅＮＢ１００２によって受信された第２の送信についてのみサブフレーム５（「ＳＦ５」）においてＡＣＫ２を送ることができる。図９Ｄに示すように、ｅＮＢ１００２は、第２の送信がｅＮＢ１００２によって受信されたＳＦ１の４サブフレーム後にＡＣＫ２を送ることができる。
【００８７】
[00104]図１３は、ワイヤレス通信の方法のフローチャート１３００である。本方法はＵＥによって実行され得る。ステップ１３０２において、ＵＥは、ＵＥによって受信されたＤＬ送信についてのＡＣＫ／ＮＡＣＫの送信のための第１の構成および／またはＵＥによって送られたＵＬ送信についてのＡＣＫ／ＮＡＣＫの受信のための第２の構成における変更の情報を受信する。たとえば、ＵＥはＲＲＣ接続ＵＥのサブセットにあり得る。一態様では、ＵＥは、ＲＲＣ構成メッセージを通して情報を受信することができる。
【００８８】
[00105]ステップ１３０４において、ＵＥは、受信されたＤＬ送信についてのＡＣＫ／ＮＡＣＫが送信されることになるか、または送られたＵＬ送信についてのＡＣＫ／ＮＡＣＫが受信されることになる１つまたは複数のリソースを含むインジケーションを受信する。たとえば、１つまたは複数のリソースは、ＡＣＫ／ＮＡＣＫが送信または受信されることになるサブフレームであり得る。一態様では、インジケーションは、受信されたＤＬ送信についてのＡＣＫ／ＮＡＣＫを送信するときにＵＥによって使用されることになるリソースの第１のセットおよび／または送られたＵＬ送信についてのＡＣＫ／ＮＡＣＫを受信するときにＵＥによって使用されることになるリソースの第２のセットを含むことができる。一構成では、リソースの第１のセットまたはリソースの第２のセットのインジケーションは明示的なインジケーションであり得る。たとえば、明示的なインジケーションは、ＵＥがＡＣＫ／ＮＡＣＫを送信または受信し得る特定のサブフレームを識別することができる。別の構成では、リソースの第１のセットまたはリソースの第２のセットのインジケーションは暗黙的なインジケーションであり得る。そのような構成では、暗黙的なインジケーションは、ＵＥの識別情報、ＤＬ送信のリソースのインデックス、および／または受信されたＤＬ送信についてのＡＣＫ／ＮＡＣＫの送信に関連する遅延の関数に基づき得る。たとえば、第ｎのサブフレームの後にＡＣＫ／ＮＡＣＫを送信するＵＥは、第ｎのＰＵＣＣＨにおいて送信することを求められ得る。
【００８９】
[00106]図１４Ａ、図１４Ｂ、および図１４Ｃは、ワイヤレス通信の方法のフローチャート１４００である。本方法はＵＥによって実行され得る。ステップ１４０２において、ＵＥは、ＵＥによって受信されたＤＬ送信についてのＡＣＫ／ＮＡＣＫの送信のための第１の構成および／またはＵＥによって送られたＵＬ送信についてのＡＣＫ／ＮＡＣＫの受信のための第２の構成における変更の情報を受信する。たとえば、ＵＥはＲＲＣ接続ＵＥのサブセットにあり得る。一態様では、ＵＥは、ＲＲＣ構成メッセージを通して情報を受信することができる。
【００９０】
[00107]ステップ１４０４において、ＵＥは、受信されたＤＬ送信についてのＡＣＫ／ＮＡＣＫが送信されることになるか、または送られたＵＬ送信についてのＡＣＫ／ＮＡＣＫが受信されることになる１つまたは複数のリソースを含むインジケーションを受信する。たとえば、１つまたは複数のリソースは、ＡＣＫ／ＮＡＣＫが送信または受信されることになるサブフレームであり得る。一態様では、インジケーションは、受信されたＤＬ送信についてのＡＣＫ／ＮＡＣＫを送信するときにＵＥによって使用されることになるリソースの第１のセットおよび／または送られたＵＬ送信についてのＡＣＫ／ＮＡＣＫを受信するときにＵＥによって使用されることになるリソースの第２のセットを含むことができる。一構成では、リソースの第１のセットまたはリソースの第２のセットのインジケーションは明示的なインジケーションであり得る。たとえば、明示的なインジケーションは、ＵＥがＡＣＫ／ＮＡＣＫを送信または受信し得る特定のサブフレームを識別することができる。別の構成では、リソースの第１のセットまたはリソースの第２のセットのインジケーションは暗黙的なインジケーションであり得る。そのような構成では、暗黙的なインジケーションは、ＵＥの識別情報、ＤＬ送信のリソースのインデックス、および／または受信されたＤＬ送信についてのＡＣＫ／ＮＡＣＫの送信に関連する遅延の関数に基づき得る。たとえば、第ｎのサブフレームの後にＡＣＫ／ＮＡＣＫを送信するＵＥは、第ｎのＰＵＣＣＨにおいて送信することを求められ得る。
【００９１】
[00108]１４０６において、ＵＥは、ＡＣＫ／ＮＡＣＫの送信を遅延させるための遅延期間を受信する。たとえば、遅延期間は６サブフレームまたは６．０ｍｓであり得る。
【００９２】
[00109]１４０８において、ＵＥは、確認応答されることになる、受信されたＤＬ送信のうちの１つまたは複数のインジケーションを受信する。一態様では、インジケーションは、ＵＥが受信されたＤＬ送信のサブセットのみについてのＡＣＫ／ＮＡＣＫを送ることになることを示す。たとえば、受信されたＤＬ送信のサブセットは、ＵＥが一連の送信の中で第３の送信ごとにのみＡＣＫ／ＮＡＣＫを送るように、すべての第３の送信を含むことができる。別の例として、受信されたＤＬ送信のサブセットは、新しいデータを含むものとして示された送信を除いて、すべての送信を含むことができる。
【００９３】
[00110]ステップ１４０９において、ＵＥは、ｅＮＢによって確認応答されることになる、ＵＥからの送信されたＵＬ送信のうちの１つまたは複数のインジケーションをｅＮＢから受信する。一態様では、ｅＮＢによって確認応答されることになる、送信されたＵＬ送信のうちの１つまたは複数のインジケーションは、送信されたＵＬ送信のサブセットのみについてのＡＣＫ／ＮＡＣＫを受信するように少なくとも１つのＵＥを構成するために使用される。たとえば、送信されたＵＬ送信のサブセットは、ＵＥが一連の送信の中で第３の送信ごとにのみＡＣＫ／ＮＡＣＫを受信するように構成されるように、すべての第３の送信を含むことができる。別の例として、送信されたＵＬ送信のサブセットは、新しいデータを含むものとして示された送信を除いて、すべての送信を含むことができる。
【００９４】
[00111]次に図１４Ｂを参照すると、ステップ１４１０において、ＵＥは第１のサブフレームにおいて第１の送信をｅＮＢから受信する。たとえば、第１の送信はデータ送信であり得る。
【００９５】
[00112]ステップ１４１２において、ＵＥは、第１のサブフレームの後の第２のサブフレームにおいて第２の送信をｅＮＢから受信する。たとえば、第２の送信はデータ送信であり得る。
【００９６】
[00113]ステップ１４１４において、ＵＥは、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとをｅＮＢに同時に送ることができる。一態様では、第１の送信および／または第２の送信は、２つ以上のセグメントを含み得る。そのような態様では、ＵＥは第３のサブフレームにおいて、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを同時に送ることができる。
【００９７】
[00114]たとえば、図９Ａを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。次いでＵＥ７０４は、遅延期間に基づいて第１の送信が受信されたサブフレームから遅延したサブフレームにおいて、第１の送信への第１のＡＣＫ／ＮＡＣＫ（「ＡＣＫ１」）と第２の送信への第２のＡＣＫ／ＮＡＣＫ（「ＡＣＫ２」）とを同時に送ることができる。たとえば、図９Ａでは、第１の送信が受信されたサブフレームに関して遅延期間が６サブフレームである場合に、ＵＥ７０４はサブフレーム６（「ＳＦ６」）においてＡＣＫ１とＡＣＫ２とを送る。
【００９８】
[00115]ステップ１４１６において、ＵＥは、遅延期間に基づいて第１のサブフレームから遅延した第３のサブフレームにおいて、第１の送信への第１のＡＣＫ／ＮＡＣＫをｅＮＢに送る。一態様では、第１の送信は、２つ以上のセグメントを含み得る。そのような態様では、ＵＥは第３のサブフレームにおいて、第１の送信の２つ以上のセグメントに対応する２つ以上のＡＣＫ／ＮＡＣＫを送ることができる。
【００９９】
[00116]ステップ１４１８において、ＵＥは、遅延期間に基づいて第２のサブフレームから遅延した第４のサブフレームにおいて、第２の送信への第２のＡＣＫ／ＮＡＣＫをｅＮＢに送る。一態様では、第２の送信は、２つ以上のセグメントを含み得る。そのような態様では、ＵＥは第４のサブフレームにおいて、第２の送信の２つ以上のセグメントに対応する２つ以上のＡＣＫ／ＮＡＣＫを送ることができる。
【０１００】
[00117]たとえば、図９Ｂを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。ＵＥ７０４は、遅延期間に基づいてＳＦ０から遅延したサブフレームにおいて、第１の送信への第１のＡＣＫ／ＮＡＣＫ（「ＡＣＫ１」）を送ることができる。次いでＵＥ７０４は、遅延期間に基づいてＳＦ１から遅延したサブフレームにおいて、第２の送信への第２のＡＣＫ／ＮＡＣＫ（「ＡＣＫ２」）を送ることができる。たとえば、図９Ｂでは、遅延期間が６サブフレームである場合に、ＵＥ７０４はＳＦ６においてＡＣＫ１、およびサブフレーム７（「ＳＦ７」）においてＡＣＫ２を送る。
【０１０１】
[00118]ステップ１４２０において、ＵＥは、遅延期間に基づいて第１のサブフレームから遅延した第３のサブフレームにおいて、第１の送信と第２の送信の両方についての組み合されたＡＣＫ／ＮＡＣＫをｅＮＢに送る。たとえば、ＵＥは第３のサブフレームにおいて、第１の送信と第２の送信の両方に確認応答する単一のＡＣＫを送ることができる。
【０１０２】
[00119]たとえば、図９Ｃを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。次いでＵＥは、遅延期間に基づいて第１の送信が受信されたサブフレームから遅延したサブフレームにおいて、第１の送信と第２の送信の両方についての組み合されたＡＣＫ／ＮＡＣＫ（「ＡＣＫ１、２」）を送ることができる。たとえば、図９Ｃでは、第１の送信が受信されたサブフレームに関して遅延期間が６サブフレームである場合に、ＵＥ７０４はＳＦ６においてＡＣＫ１、２を送る。
【０１０３】
[00120]ステップ１４２２において、ＵＥは、確認応答されることになる、受信されたＤＬ送信のうちの１つまたは複数のインジケーションに基づいて、受信されたＤＬ送信のサブセットのみについてのＡＣＫ／ＮＡＣＫをｅＮＢに送る。
【０１０４】
[00121]たとえば、図９Ｄを参照すると、ＵＥ７０４はサブフレーム０（「ＳＦ０」）において第１の送信（「Ｒｘ１」）を受信すること、およびサブフレーム１（「ＳＦ１」）において第２の送信（「Ｒｘ２」）を受信することができる。ＵＥ７０４は、確認応答されることになる、受信された送信のうちの１つまたは複数のインジケーションに基づいて、受信された送信のサブセットのみについてのＡＣＫ／ＮＡＣＫ（「ＡＣＫ２」）を送ることができる。たとえば、インジケーションがＵＥ７０４に、ＵＥ７０４によって受信された一連の送信の中で第２の送信ごとに（すなわち、１送信おきに）ＡＣＫ／ＮＡＣＫを送ることを求めている場合、ＵＥ７０４は、ＳＦ１において受信された第２の送信についてのみサブフレーム５（「ＳＦ５」）においてＡＣＫ２を送ることができる。図９Ｄに示すように、ＵＥ７０４は、第２の送信がＵＥ７０４によって受信されたＳＦ１の４サブフレーム後にＡＣＫ２を送ることができる。
【０１０５】
[00122]次に図１４Ｃを参照すると、ステップ１４２４において、ＵＥは第１のサブフレームにおいて第１の送信をｅＮＢに送る。たとえば、第１の送信はデータ送信であり得る。
【０１０６】
[00123]ステップ１４２６において、ＵＥは、第１のサブフレームの後の第２のサブフレームにおいて第２の送信をｅＮＢに送る。たとえば、第２の送信はデータ送信であり得る。
【０１０７】
[00124]ステップ１４２８において、ＵＥは、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとをｅＮＢから同時に受信する。たとえば、第１の送信（「Ｔｘ１」）がＳＦ０においてＵＥ１００４によって送られ、第２の送信（「Ｔｘ２」）がＳＦ１においてＵＥ１００４によって送られる図８Ａを参照すると、第１の送信が送られたサブフレームに関して遅延期間が６サブフレームである場合に、ＵＥ１００４はサブフレーム６（「ＳＦ６」）においてＡＣＫ１とＡＣＫ２とを受信する。一態様では、第１の送信および／または第２の送信は、２つ以上のセグメントを含み得る。そのような態様では、ＵＥ１００４は第３のサブフレームにおいて、第１の送信の２つ以上のセグメントに対応する２つ以上のＡＣＫ／ＮＡＣＫおよび／または第２の送信の２つ以上のセグメントに対応する２つ以上のＡＣＫ／ＮＡＣＫを受信することができる。
【０１０８】
[00125]ステップ１４３０において、ＵＥは、遅延期間に基づいて第１のサブフレームから遅延した第３のサブフレームにおいて、第１の送信への第１のＡＣＫ／ＮＡＣＫをｅＮＢから受信する。一態様では、第１の送信は、２つ以上のセグメントを含み得る。そのような態様では、ＵＥは第３のサブフレームにおいて、第１の送信の２つ以上のセグメントに対応する２つ以上のＡＣＫ／ＮＡＣＫを受信することができる。
【０１０９】
[00126]ステップ１４３２において、ＵＥは、遅延期間に基づいて第２のサブフレームから遅延した第４のサブフレームにおいて、第２の送信への第２のＡＣＫ／ＮＡＣＫをｅＮＢから受信する。一態様では、第２の送信は、２つ以上のセグメントを含み得る。そのような態様では、ＵＥは第４のサブフレームにおいて、第２の送信の２つ以上のセグメントに対応する２つ以上のＡＣＫ／ＮＡＣＫを受信することができる。
【０１１０】
[00127]たとえば、図８Ｂを参照すると、ＵＥ１００４はｅＮＢ１００２に、サブフレーム０（「ＳＦ０」）において第１の送信（「Ｔｘ１」）を送ること、およびサブフレーム１（「ＳＦ１」）において第２の送信（「Ｔｘ２」）を送ることができる。ＵＥ１００４は、遅延期間に基づいてＳＦ０から遅延したサブフレームにおいて、第１の送信への第１のＡＣＫ／ＮＡＣＫ（「ＡＣＫ１」）をｅＮＢ１００２から受信することができる。次いでＵＥ１００４は、遅延期間に基づいてＳＦ１から遅延したサブフレームにおいて、第２の送信への第２のＡＣＫ／ＮＡＣＫ（「ＡＣＫ２」）を受信することができる。たとえば、図８Ｂでは、遅延期間が６サブフレームである場合に、ＵＥ１００４はＳＦ６においてＡＣＫ１、およびサブフレーム７（「ＳＦ７」）においてＡＣＫ２を受信する。
【０１１１】
[00128]ステップ１４３４において、ＵＥは、遅延期間に基づいて第１のサブフレームから遅延した第３のサブフレームにおいて、第１の送信と第２の送信の両方についての組み合されたＡＣＫ／ＮＡＣＫをｅＮＢから受信する。たとえば、ＵＥは第３のサブフレームにおいて、第１の送信と第２の送信の両方に確認応答する単一のＡＣＫを受信することができる。
【０１１２】
[00129]たとえば、図８Ｃを参照すると、ＵＥ１００４はサブフレーム０（「ＳＦ０」）において第１の送信（「Ｔｘ１」）を送ること、およびサブフレーム１（「ＳＦ１」）において第２の送信（「Ｔｘ２」）を送ることができる。次いでＵＥ１００４は、遅延期間に基づいて第１の送信が送られたサブフレームから遅延したサブフレームにおいて、第１の送信と第２の送信の両方についての組み合されたＡＣＫ／ＮＡＣＫ（「ＡＣＫ１、２」）を受信することができる。たとえば、図８Ｃでは、第１の送信が送られたサブフレームに関して遅延期間が６サブフレームである場合に、ＵＥ１００４はＳＦ６においてＡＣＫ１、２を受信する。
【０１１３】
[00130]図１５は、例示的な装置１５０２中の異なるモジュール／手段／構成要素間のデータフローを示す概念データフロー図１５００である。本装置１５０２はｅＮＢであり得る。ｅＮＢは、ＡＣＫ／ＮＡＣＫモジュール１５０４と、通知モジュール１５０６と、インジケーティングモジュール１５０８と、遅延期間モジュール１５１０と、送信処理モジュール１５１２と、送信モジュール１５１４と、受信モジュール１５１６とを含む。
【０１１４】
[00131]ＡＣＫ／ＮＡＣＫモジュール１５０４は、ＵＥ１５１８からＡＣＫ／ＮＡＣＫを受信し、処理する。ＡＣＫ／ＮＡＣＫモジュール１５０４は、ＵＥ１５１８によって受信されたＤＬ送信についてのＵＥ１５１８によるＡＣＫ／ＮＡＣＫの送信のための第１の構成および／またはＵＥ１５１８によって送られたＵＬ送信についてのＵＥ１５１８によるＡＣＫ／ＮＡＣＫの受信のための第２の構成を変更する。一態様では、ＡＣＫ／ＮＡＣＫモジュール１５０４はＵＥ１５１８に、遅延期間に基づいて第１のサブフレームから遅延した第３のサブフレームにおいて、ＵＥからの第１の送信への第１のＡＣＫ／ＮＡＣＫとＵＥ１５１８からの第２の送信への第２のＡＣＫ／ＮＡＣＫとを同時に送ることができる。別の態様では、ＡＣＫ／ＮＡＣＫモジュール１５０４は、遅延期間に基づいて第１のサブフレームから遅延した第３のサブフレームにおいて、第１の送信への第１のＡＣＫ／ＮＡＣＫをＵＥ１５１８に送ることができる。一態様では、第１の送信は、２つ以上のセグメントを含み得る。ＡＣＫ／ＮＡＣＫモジュール１５０４はさらに、遅延期間に基づいて第２のサブフレームから遅延した第４のサブフレームにおいて、第２の送信への第２のＡＣＫ／ＮＡＣＫを送ることができる。別の態様では、ＡＣＫ／ＮＡＣＫモジュール１５０４は、遅延期間に基づいて第１のサブフレームから遅延した第３のサブフレームにおいて、ＵＥ１５１８からの第１の送信と第２の送信の両方についての組み合されたＡＣＫ／ＮＡＣＫを送ることができる。別の態様では、ＡＣＫ／ＮＡＣＫモジュール１５０４は、確認応答されることになる、受信されたＵＬ送信のうちの１つまたは複数のインジケーションに基づいて、送信されたＵＬ送信のサブセットのみについてのＡＣＫ／ＮＡＣＫをＵＥ１５１８に送ることができる。
【０１１５】
[00132]通知モジュール１５０６は、ＵＥ１５１８によって受信されたＤＬ送信についてのＵＥ１５１８によるＡＣＫ／ＮＡＣＫの送信のための第１の構成および／またはＵＥ１５１８によって送られたＵＬ送信についてのＵＥ１５１８によるＡＣＫ／ＮＡＣＫの受信のための第２の構成における変更をＵＥ１５１８に通知する。一態様では、ｅＮＢは、送信モジュール１５１４を介してＵＥ１５１８に送信され得るＲＲＣ構成メッセージを通してＵＥ１５１８に通知することができる。
【０１１６】
[00133]インジケーティングモジュール１５０８は、ＵＥ１５１８が受信されたＤＬ送信についてのＡＣＫ／ＮＡＣＫを送信することになるか、または送られたＵＬ送信についてのＡＣＫ／ＮＡＣＫを受信することになる１つまたは複数のリソースをＵＥ１５１８に示すことができる。一態様では、インジケーティングモジュール１５０８は、ＵＥ１５１８によって確認応答されることになる、受信されたＤＬ送信のうちの１つまたは複数をＵＥ１５１８に示すことができる。インジケーティングモジュール１５０８はＵＥに、ｅＮＢによって確認応答されることになる、少なくとも１つのＵＥからの送信されたＵＬ送信のうちの１つまたは複数を示す。
【０１１７】
[00134]遅延期間モジュール１５１０は、送信モジュール１５１４を介してＵＥ１５１８に遅延期間を送る。遅延期間は、ＡＣＫ／ＮＡＣＫの送信を遅延させるためにＵＥ１５１８によって使用され得る。
【０１１８】
[00135]送信処理モジュール１５１２は、第１および第２の送信を生成する。たとえば、第１および第２の送信はデータ送信であり得る。送信処理モジュール１５１２は、第１のサブフレームにおいて送信モジュール１５１４を介してＵＥ１５１８に第１の送信を送り、第１のサブフレームの後の第２のサブフレームにおいて送信モジュール１５１４を介してＵＥ１５１８に第２の送信を送る。
【０１１９】
[00136]受信モジュール１５１６は、ＵＥ１５１８から送信されたＡＣＫ／ＮＡＣＫを受信する。ＡＣＫ／ＮＡＣＫは、ｅＮＢからのＤＬ送信に応答してＵＥ１５１８から送信され得る。一態様では、受信モジュール１５１６は、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとを同時に受信する。別の態様では、受信モジュール１５１６は、遅延期間に基づいて第１のサブフレームから遅延した第３のサブフレームにおいて、第１の送信への第１のＡＣＫ／ＮＡＣＫを受信し、遅延期間に基づいて第２のサブフレームから遅延した第４のサブフレームにおいて、第２の送信への第２のＡＣＫ／ＮＡＣＫを受信する。別の態様では、受信モジュール１５１６は、遅延期間に基づいて第１のサブフレームから遅延した第３のサブフレームにおいて、第１の送信と第２の送信の両方についての組み合されたＡＣＫ／ＮＡＣＫを受信する。受信モジュール１５１６は、第１のサブフレームにおいて第１の送信をＵＥから受信し、第１のサブフレームの後の第２のサブフレームにおいてＵＥから第２の送信を受信する。
【０１２０】
[00137]本装置は、図１１、図１２Ａ、図１２Ｂ、および図１２Ｃの上述のフローチャート中のアルゴリズムのステップの各々を実行する追加のモジュールを含み得る。したがって、図１１、図１２Ａ、図１２Ｂ、および図１２Ｃの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つもしくは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらいくつかのコンビネーションであり得る。
【０１２１】
[00138]図１６は、処理システム１６１４を用いる装置１５０２’のためのハードウェア実装の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続するバスとブリッジとを含み得る。バス１６２４は、プロセッサ１６０４によって表される１つまたは複数のプロセッサおよび／またはハードウェアモジュールと、モジュール１５０４、１５０６、１５０８、１５１０、１５１２、１５１４、および１５１６と、コンピュータ可読媒体１６０６とを含む様々な回路を互いにリンクする。バス１６２４はまた、タイミングソース、周辺機器、電圧調整器、および電力管理回路などの様々な他の回路をリンクすることができるが、これらの回路は当技術分野においてよく知られており、したがって、これ以上説明しない。
【０１２２】
[00139]処理システム１６１４は、トランシーバ１６１０に結合され得る。トランシーバ１６１０は、１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信モジュール１５１６に与える。さらに、トランシーバ１６１０は、処理システム１６１４、特に送信モジュール１５１４から情報を受信し、受信された情報に基づいて、１つまたは複数のアンテナ１６２０に適用されるべき信号を生成する。処理システム１６１４は、コンピュータ可読媒体１６０６に結合されたプロセッサ１６０４を含む。プロセッサ１６０４は、コンピュータ可読媒体１６０６に記憶されたソフトウェアの実行を含む一般的な処理を担う。ソフトウェアは、プロセッサ１６０４によって実行されたとき、処理システム１６１４に、特定の装置のための上述した様々な機能を実行させる。コンピュータ可読媒体１６０６は、ソフトウェアを実行するときにプロセッサ１６０４によって操作されるデータを記憶するために使用される場合もある。処理システムは、モジュール１５０４、１５０６、１５０８、１５１０、１５１２、１５１４、および１５１６のうちの少なくとも１つをさらに含む。それらのモジュールは、プロセッサ１６０４中で動作し、コンピュータ可読媒体１６０６中に存在する／記憶された、ソフトウェアモジュールであるか、プロセッサ１６０４に結合された１つもしくは複数のハードウェアモジュールであるか、またはそれらのいくつかのコンビネーションであり得る。処理システム１６１４は、ｅＮＢ６１０の構成要素であり得、メモリ６７６、ならびに／またはＴＸプロセッサ６１６、ＲＸプロセッサ６７０、およびコントローラ／プロセッサ６７５のうちの少なくとも１つを含み得る。
【０１２３】
[00140]一構成では、ワイヤレス通信のための装置１５０２／１５０２’は、少なくとも１つのＵＥに、少なくとも１つのＵＥによって受信されたＤＬ送信についての少なくとも１つのＵＥによるＡＣＫ／ＮＡＣＫの送信のための第１の構成および／または少なくとも１つのＵＥによって送られたＵＬ送信についての少なくとも１つのＵＥによるＡＣＫ／ＮＡＣＫの受信のための第２の構成における変更を通知するための手段と、少なくとも１つのＵＥが受信されたＤＬ送信についてのＡＣＫ／ＮＡＣＫを送信することになるか、または送られたＵＬ送信についてのＡＣＫ／ＮＡＣＫを受信することになる１つまたは複数のリソースを少なくとも１つのＵＥに示すための手段と、ＡＣＫ／ＮＡＣＫの送信を遅延させるための遅延期間を少なくとも１つのＵＥに送るための手段と、第１のサブフレームにおいて第１の送信を少なくとも１つのＵＥに送るための手段と、第１のサブフレームの後の第２のサブフレームおいて第２の送信を少なくとも１つのＵＥに送るための手段と、第１のサブフレームにおいて第１の送信を少なくとも１つのＵＥから受信するための手段と、第１のサブフレームの後の第２のサブフレームおいて第２の送信を少なくとも１つのＵＥから受信するための手段と、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとを少なくとも１つのＵＥから同時に受信するための手段と、遅延期間に基づいて第１のサブフレームから遅延した第３のサブフレームにおいて、受信された第１の送信への第１のＡＣＫ／ＮＡＣＫと受信された第２の送信への第２のＡＣＫ／ＮＡＣＫとを少なくとも１つのＵＥに同時に送るための手段と、遅延期間に基づいて第１のサブフレームから遅延した第３のサブフレームにおいて、第１の送信への第１のＡＣＫ／ＮＡＣＫを少なくとも１つのＵＥに送るための手段と、遅延期間に基づいて第２のサブフレームから遅延した第４のサブフレームにおいて、第２の送信への第２のＡＣＫ／ＮＡＣＫを少なくとも１つのＵＥに送るための手段と、遅延期間に基づいて第１のサブフレームから遅延した第３のサブフレームにおいて、第１の送信への第１のＡＣＫ／ＮＡＣＫを少なくとも１つのＵＥから受信するための手段と、遅延期間に基づいて第２のサブフレームから遅延した第４のサブフレームにおいて、第２の送信への第２のＡＣＫ／ＮＡＣＫを少なくとも１つのＵＥから受信するための手段と、遅延期間に基づいて第１のサブフレームから遅延した第３のサブフレームにおいて、第１の送信と第２の送信の両方についての組み合されたＡＣＫ／ＮＡＣＫを受信するための手段と、遅延期間に基づいて第１のサブフレームから遅延した第３のサブフレームにおいて、第１の送信と第２の送信の両方についての組み合されたＡＣＫ／ＮＡＣＫを少なくとも１つのＵＥに送るための手段と、少なくとも１つのＵＥによって確認応答されることになる、受信されたＤＬ送信のうちの１つまたは複数を少なくとも１つのＵＥに示すための手段と、ｅＮＢによって確認応答されることになる、少なくとも１つのＵＥによる送信されたＵＬ送信のうちの１つまたは複数を少なくとも１つの��Ｅに示すための手段とを含む。上述の手段は、上述の手段によって具陳された機能を実行するように構成された、装置１５０２の上述のモジュールおよび／または装置１５０２’処理システム１６１４のうちの１つまたは複数であり得る。上記で説明したように、処理システム１６１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６、ＲＸプロセッサ６７０、およびコントローラ／プロセッサ６７５であり得る。
【０１２４】
[00141]図１７は、例示的な装置１７０２中の異なるモジュール／手段／構成要素間のデータフローを示す概念データフロー図１７００である。本装置１７０２はＵＥであり得る。ＵＥは、受信１７０４と、情報処理モジュール１７０６と、インジケーション処理モジュール１７０８と、遅延期間処理モジュール１７１０と、送信処理モジュール１７１２と、ＡＣＫ／ＮＡＣＫモジュール１７１４と、送信モジュール１７１６とを含む。
【０１２５】
[00142]受信モジュール１７０４は、ｅＮＢ１７１８から第１および第２の送信を受信する。たとえば、第１および第２の送信はデータ送信であり得る。受信モジュール１７０４は、第１のサブフレームにおいてｅＮＢ１７１８から第１の送信を受信し、第１のサブフレームの後の第２のサブフレームにおいてｅＮＢ１７１８から第２の送信を受信する。
【０１２６】
[00143]情報処理モジュール１７０６は、ＵＥによって受信されたＤＬ送信についてのＵＥによるＡＣＫ／ＮＡＣＫの送信のための第１の構成および／またはＵＥによって送られたＵＬ送信についてのＵＥによるＡＣＫ／ＮＡＣＫの受信のための第２の構成における変更の情報を、受信モジュール１７０４を介してｅＮＢ１７１８から受信する。一態様では、ｅＮＢ１７１８は、受信モジュール１７０４を介してＵＥによって受信され得るＲＲＣ構成メッセージを通してＵＥに通知することができる。
【０１２７】
[00144]インジケーション処理モジュール１７０８は、受信モジュール１７０４を介してｅＮＢ１７１８からインジケーションを受信し、このインジケーションは、受信されたＤＬ送信についてのＡＣＫ／ＮＡＣＫが送信されることになるか、または送られたＵＬ送信についてのＡＣＫ／ＮＡＣＫが受信されることになる１つまたは複数のリソースを含む。一態様では、インジケーション処理モジュール１７０８は、ＵＥによって確認応答されることになる、受信されたＤＬ送信のうちの１つまたは複数のインジケーションを受信する。別の態様では、インジケーション処理モジュール１７０８は、ｅＮＢによって確認応答されることになる、少なくとも１つのＵＥからの送信されたＵＬ送信のうちの１つまたは複数のインジケーションを受信することができる。
【０１２８】
[00145]遅延期間モジュール１７１０は、受信モジュール１７０４を介してｅＮＢ１７１８から遅延期間を受信する。遅延期間は、ＡＣＫ／ＮＡＣＫの送信を遅延させるためにＵＥによって使用され得る。
【０１２９】
[00146]送信処理モジュール１７１２は、第１および第２の送信を生成する。たとえば、第１および第２の送信はデータ送信であり得る。送信処理モジュール１７１２は、第１のサブフレームにおいて送信モジュール１７１６を介してｅＮＢ１７１８に第１の送信を送り、第１のサブフレームの後の第２のサブフレームにおいて送信モジュール１７１６を介してｅＮＢ１７１８に第２の送信を送る。
【０１３０】
[00147]ＡＣＫ／ＮＡＣＫモジュール１７１４は、ＵＥによって受信されたＤＬ送信についてのＡＣＫ／ＮＡＣＫの送信のための第１の構成および／またはＵＥによって送られたＵＬ送信についてのＡＣＫ／ＮＡＣＫの受信のための第２の構成に変更を適用する。一態様では、ＡＣＫ／ＮＡＣＫモジュール１７１４はＡＣＫ／ＮＡＣＫを生成し、送信モジュール１７１６を介してｅＮＢ１７１８に送る。ＡＣＫ／ＮＡＣＫは、ｅＮＢ１７１８からのＤＬ送信に応答してＵＥからｅＮＢ１７１８に送信され得る。一態様では、ＡＣＫ／ＮＡＣＫモジュール１７１４は、遅延期間に基づいて第１のサブフレームから遅延した第３のサブフレームにおいて、ｅＮＢ１７１８からの第１の送信への第１のＡＣＫ／ＮＡＣＫとｅＮＢ１７１８からの第２の送信への第２のＡＣＫ／ＮＡＣＫとを同時に送る。別の態様では、ＡＣＫ／ＮＡＣＫモジュール１７１４は、遅延期間に基づいて第１のサブフレームから遅延した第３のサブフレームにおいて、第１の送信への第１のＡＣＫ／ＮＡＣＫを送り、遅延期間に基づいて第２のサブフレームから遅延した第４のサブフレームにおいて、第２の送信への第２のＡＣＫ／ＮＡＣＫを送る。別の態様では、ＡＣＫ／ＮＡＣＫモジュール１７１４は、遅延期間に基づいて第１のサブフレームから遅延した第３のサブフレームにおいて、第１の送信と第２の送信の両方についての組み合されたＡＣＫ／ＮＡＣＫを送る。別の態様では、ＡＣＫ／ＮＡＣＫモジュール１７１４は、確認応答されることになる、受信された送信のうちの１つまたは複数（たとえば、ｅＮＢ１７１８からの第１の送信および／または第２の送信）のインジケーションに基づいて、受信された送信のサブセットのみについてのＡＣＫ／ＮＡＣＫを送る。
【０１３１】
[00148]一態様では、ＡＣＫ／ＮＡＣＫモジュール１７１４は、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとをｅＮＢ１７１８から同時に受信する。別の態様では、ＡＣＫ／ＮＡＣＫモジュール１７１４は、遅延期間に基づいて第１のサブフレームから遅延した第３のサブフレームにおいて、第１の送信への第１のＡＣＫ／ＮＡＣＫをｅＮＢ１７１８から受信する。ＡＣＫ／ＮＡＣＫモジュール１７１４はさらに、遅延期間に基づいて第２のサブフレームから遅延した第４のサブフレームにおいて、第２の送信への第２のＡＣＫ／ＮＡＣＫをｅＮＢ１７１８から受信する。別の態様では、ＡＣＫ／ＮＡＣＫモジュール１７１４は、遅延期間に基づいて第１のサブフレームから遅延した第３のサブフレームにおいて、第１の送信と第２の送信の両方についての組み合されたＡＣＫ／ＮＡＣＫをｅＮＢ１７１８から受信する。
【０１３２】
[00149]本装置は、図１３、図１４Ａ、図１４Ｂ、および図１４Ｃの上述のフローチャート中のアルゴリズムのステップの各々を実行する追加のモジュールを含み得る。したがって、図１３、図１４Ａ、図１４Ｂ、および図１４Ｃの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つもしくは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらいくつかのコンビネーションであり得る。
【０１３３】
[00150]図１８は、処理システム１８１４を用いる装置１７０２’のためのハードウェア実装の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続するバスとブリッジとを含み得る。バス１８２４は、プロセッサ１８０４によって表される１つまたは複数のプロセッサおよび／またはハードウェアモジュールと、モジュール１７０４、１７０６、１７０８、１７１０、１７１２、１７１４、および１７１６と、コンピュータ可読媒体１８０６とを含む様々な回路を互いにリンクする。バス１８２４はまた、タイミングソース、周辺機器、電圧調整器、および電力管理回路などの様々な他の回路をリンクすることができるが、これらの回路は当技術分野においてよく知られており、したがって、これ以上説明しない。
【０１３４】
[00151]処理システム１８１４は、トランシーバ１８１０に結合され得る。トランシーバ１８１０は、１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信モジュール１７０４に与える。さらに、トランシーバ１８１０は、処理システム１８１４、特に送信モジュール１７１６から情報を受信し、受信された情報に基づいて、１つまたは複数のアンテナ１８２０に適用されるべき信号を生成する。処理システム１８１４は、コンピュータ可読媒体１８０６に結合されたプロセッサ１８０４を含む。プロセッサ１８０４は、コンピュータ可読媒体１８０６に記憶されたソフトウェアの実行を含む一般的な処理を担う。ソフトウェアは、プロセッサ１８０４によって実行されたとき、処理システム１８１４に、特定の装置のための上述した様々な機能を実行させる。コンピュータ可読媒体１８０６は、ソフトウェアを実行するときにプロセッサ１８０４によって操作されるデータを記憶するために使用される場合もある。処理システムは、モジュール１７０４、１７０６、１７０８、１７１０、１７１２、１７１４、および１７１６のうちの少なくとも１つをさらに含む。それらのモジュールは、プロセッサ１８０４中で動作し、コンピュータ可読媒体１８０６中に存在する／記憶された、ソフトウェアモジュールであるか、プロセッサ１８０４に結合された１つもしくは複数のハードウェアモジュールであるか、またはそれらいくつかのコンビネーションであり得る。処理システム１８１４は、ＵＥ６５０の構成要素であり得、メモリ６６０、ならびに／またはＴＸプロセッサ６６８、ＲＸプロセッサ６５６、およびコントローラ／プロセッサ６５９のうちの少なくとも１つを含み得る。
【０１３５】
[00152]一構成では、ワイヤレス通信のための装置１７０２／１７０２’は、ＵＥによって受信されたＤＬ送信についてのＡＣＫ／ＮＡＣＫの送信のための第１の構成および／またはＵＥによって送られたＵＬ送信についてのＡＣＫ／ＮＡＣＫの受信のための第２の構成における変更の情報を受信するための手段と、受信されたＤＬ送信についてのＡＣＫ／ＮＡＣＫが送信されることになるか、または送られたＵＬ送信についてのＡＣＫ／ＮＡＣＫが受信されることになる１つまたは複数のリソースを備えるインジケーションを受信するための手段と、ＡＣＫ／ＮＡＣＫの送信を遅延させるための遅延期間を受信するための手段と、第１のサブフレームにおいて第１の送信をｅＮＢから受信するための手段と、第１のサブフレームの後の第２のサブフレームにおいて第２の送信をｅＮＢから受信するための手段と、第１のサブフレームにおいて第１の送信をｅＮＢに送るための手段と、第１のサブフレームの後の第２のサブフレームにおいて第２の送信をｅＮＢに送るための手段と、遅延期間に基づいて第１のサブフレームから遅延した第３のサブフレームにおいて、送られた第１の送信への第１のＡＣＫ／ＮＡＣＫと送られた第２の送信への第２のＡＣＫ／ＮＡＣＫとをｅＮＢから同時に受信するための手段と、遅延期間に基づいて第１のサブフレームから遅延した第３のサブフレームにおいて、第１の送信への第１のＡＣＫ／ＮＡＣＫをｅＮＢから受信するための手段と、遅延期間に基づいて第２のサブフレームから遅延した第４のサブフレームにおいて、第２の送信への第２のＡＣＫ／ＮＡＣＫをｅＮＢから受信するための手段と、遅延期間に基づいて第１のサブフレームから遅延した第３のサブフレームにおいて、第１の送信と第２の送信の両方についての組み合されたＡＣＫ／ＮＡＣＫをｅＮＢから受信するための手段と、遅延期間に基づいて第１のサブフレームから遅延した第３のサブフレームにおいて、第１の送信への第１のＡＣＫ／ＮＡＣＫと第２の送信への第２のＡＣＫ／ＮＡＣＫとをｅＮＢに同時に送るための手段と、遅延期間に基づいて第１のサブフレームから遅延した第３のサブフレームにおいて、第１の送信への第１のＡＣＫ／ＮＡＣＫをｅＮＢに送るための手段と、遅延期間に基づいて第２のサブフレームから遅延した第４のサブフレームにおいて、第２の送信への第２のＡＣＫ／ＮＡＣＫをｅＮＢに送るための手段と、遅延期間に基づいて第１のサブフレームから遅延した第３のサブフレームにおいて、第１の送信と第２の送信の両方についての組み合されたＡＣＫ／ＮＡＣＫをｅＮＢに送るための手段と、確認応答されることになる、受信されたＤＬ送信のうちの１つまたは複数のインジケーションを受信するための手段と、確認応答されることになる、受信されたＤＬ送信のうちの１つまたは複数のインジケーションに基づいて、受信されたＤＬ送信のサブセットのみについてのＡＣＫ／ＮＡＣＫを送るための手段とを含む。上述の手段は、上述の手段によって具陳された機能を実行するように構成された、装置１７０２の上述のモジュールおよび／または装置１７０２’の処理システム１８１４のうちの１つまたは複数であり得る。上記で説明したように、処理システム１８１４は、ＴＸプロセッ��６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８、ＲＸプロセッサ６５６、およびコントローラ／プロセッサ６５９であり得る。
【０１３６】
[00153]したがって、送信の特定のサブセットについてのＡＣＫ／ＮＡＣＫをスケジュールすることによって、システムにおけるＡＣＫ／ＮＡＣＫ送信の負荷が低減され得る。その上、干渉が低い期間にＡＣＫ／ＮＡＣＫをスケジュールすることによって、ＡＣＫ／ＮＡＣＫの信頼性が増し得る。
【０１３７】
[00154]開示されたプロセス中のステップの特定の順序または階層は、例示的な手法の一例であることを理解されたい。設計上の選好に基づいて、プロセス中のステップの特定の順序または階層は、並べ替えられてよいことを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【０１３８】
[00155]以上の説明は、当業者が本明細書で説明された様々な態様を実施できるようにするために提供される。これらの態様への様々な変更は、当業者には容易に明らかとなり、本明細書で規定される一般的原理は、他の態様に適用されてもよい。したがって、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は、１つまたは複数を指す。当業者に知られているか、または後で知られることになる、本開示全体にわたって説明する様々な態様の要素に対するすべての構造的等価物および機能的等価物は、参照により本明細書に明確に組み込まれ、特許請求の範囲によって包含されるものとする。その上、本明細書で開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本願発明の当初の特許請求の範囲に記載された発明を付記する。
［Ｃ１］
ｅＮＢのワイヤレス通信の方法であって、
少なくとも１つのユーザ機器（ＵＥ）に、前記少なくとも１つのＵＥによって受信されたダウンリンク（ＤＬ）送信についての前記少なくとも１つのＵＥによる肯定応答（ＡＣＫ）／否定応答（ＮＡＣＫ）の送信のための第１の構成または前記少なくとも１つのＵＥによって送られたアップリンク（ＵＬ）送信についての前記少なくとも１つのＵＥによるＡＣＫ／ＮＡＣＫの受信のための第２の構成のうちの少なくとも１つにおける変更を通知することと、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のリソースを前記少なくとも１つのＵＥに示すことと
を備える方法。
［Ｃ２］
ＡＣＫ／ＮＡＣＫの送信を遅延させるための遅延期間を前記少なくとも１つのＵＥに送ることをさらに備える、
Ｃ１に記載の方法。
［Ｃ３］
前記遅延期間は、各ＡＣＫ／ＮＡＣＫに固有である、
Ｃ２に記載の方法。
［Ｃ４］
第１のサブフレームにおいて第１の送信を前記少なくとも１つのＵＥに送ることと、
前記第１のサブフレームの後の第２のサブフレームにおいて第２の送信を前記少なくとも１つのＵＥに送ることと、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを前記少なくとも１つのＵＥから同時に受信することと
をさらに備える、Ｃ２に記載の方法。
［Ｃ５］
第１のサブフレームにおいて第１の送信を前記少なくとも１つのＵＥから受信することと、
前記第１のサブフレームの後の第２のサブフレームにおいて前記少なくとも１つのＵＥからの第２の送信を前記少なくとも１つのＵＥから受信することと、
前記遅延期間に基づいて前記第１のサブフレームから遅延した第３のサブフレームにおいて、前記受信された第１の送信への第１のＡＣＫ／ＮＡＣＫと前記受信された第２の送信への第２のＡＣＫ／ＮＡＣＫとを前記少なくとも１つのＵＥに同時に送ることと
をさらに備える、Ｃ２に記載の方法。
［Ｃ６］
第１のサブフレームにおいて第１の送信を前記少なくとも１つのＵＥに送ることと、
前記第１のサブフレームの後の第２のサブフレームにおいて第２の送信を前記少なくとも１つのＵＥに送ることと、
前記遅延期間に基づいて前記第１のサブフレームから遅延した第３のサブフレームにおいて、前記第１の送信への第１のＡＣＫ／ＮＡＣＫを前記少なくとも１つのＵＥから受信することと、
前記遅延期間に基づいて前記第２のサブフレームから遅延した第４のサブフレームにおいて、前記第２の送信への第２のＡＣＫ／ＮＡＣＫを前記少なくとも１つのＵＥから受信することと
をさらに備える、Ｃ２に記載の方法。
［Ｃ７］
第１のサブフレームにおいて第１の送信を前記少なくとも１つのＵＥから受信することと、
前記第１のサブフレームの後の第２のサブフレームにおいて第２の送信を前記少なくとも１つのＵＥから受信することと、
前記遅延期間に基づいて前記第１のサブフレームから遅延した第３のサブフレームにおいて、前記第１の送信への第１のＡＣＫ／ＮＡＣＫを前記少なくとも１つのＵＥに送ることと、
前記遅延期間に基づいて前記第２のサブフレームから遅延した第４のサブフレームにおいて、前記第２の送信への第２のＡＣＫ／ＮＡＣＫを前記少なくとも１つのＵＥに送ることと
をさらに備える、Ｃ２に記載の方法。
［Ｃ８］
第１のサブフレームにおいて第１の送信を前記少なくとも１つのＵＥに送ることと、
前記第１のサブフレームの後の第２のサブフレームにおいて第２の送信を前記少なくとも１つのＵＥに送ることと、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥから受信することと
をさらに備える、Ｃ２に記載の方法。
［Ｃ９］
第１のサブフレームにおいて第１の送信を前記少なくとも１つのＵＥから受信することと、
前記第１のサブフレームの後の第２のサブフレームにおいて第２の送信を前記少なくとも１つのＵＥから受信することと、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥに送ることと
をさらに備える、Ｃ２に記載の方法。
［Ｃ１０］
前記少なくとも１つのＵＥによって確認応答されることになる、前記受信されたＤＬ送信のうちの１つまたは複数を前記少なくとも１つのＵＥに示すことをさらに備える、
Ｃ１に記載の方法。
［Ｃ１１］
前記少なくとも１つのＵＥによって確認応答されることになる、前記受信されたＤＬ送信のうちの前記１つまたは複数の前記インジケーションは、前記受信されたＤＬ送信のサブセットのみについての前記ＡＣＫ／ＮＡＣＫを送るように前記少なくとも１つのＵＥを構成するために使用される、
Ｃ１０に記載の方法。
［Ｃ１２］
ｅＮＢによって確認応答されることになる、前記少なくとも１つのＵＥによる前記送信されたＵＬ送信のうちの１つまたは複数を前記少なくとも１つのＵＥに示すことをさらに備える、
Ｃ１に記載の方法。
［Ｃ１３］
前記ｅＮＢによって確認応答されることになる、前記送信されたＵＬ送信のうちの前記１つまたは複数の前記インジケーションは、前記送信されたＵＬ送信のサブセットのみについての前記ＡＣＫ／ＮＡＣＫを受信するように前記少なくとも１つのＵＥを構成するために使用される、
Ｃ１２に記載の方法。
［Ｃ１４］
前記インジケーションは、前記受信されたＤＬ送信についての前記ＡＣＫ／ＮＡＣＫを送信するときに前記少なくとも１つのＵＥによって使用されることになるリソースの第１のセットまたは前記送られたＵＬ送信についての前記ＡＣＫ／ＮＡＣＫを受信するときに前記少なくとも１つのＵＥによって使用されることになるリソースの第２のセットのうちの少なくとも１つを備える、
Ｃ１に記載の方法。
［Ｃ１５］
リソースの前記第１のセットまたはリソースの前記第２のセットの前記インジケーションは明示的なインジケーションである、
Ｃ１４に記載の方法。
［Ｃ１６］
リソースの前記第１のセットまたはリソースの前記第２のセットの前記インジケーションは暗黙的なインジケーションである、
Ｃ１４に記載の方法。
［Ｃ１７］
リソースの前記第１のセットについての前記暗黙的なインジケーションは、前記少なくとも１つのＵＥの識別情報、ＤＬ送信のリソースのインデックス、および前記受信されたＤＬ送信についての前記ＡＣＫ／ＮＡＣＫの送信に関連する遅延のうちの少なくとも１つの関数に基づく、
Ｃ１６に記載の方法。
［Ｃ１８］
リソースの前記第２のセットについての前記暗黙的なインジケーションは、前記少なくとも１つのＵＥの識別情報、ＵＬ送信のリソースのインデックス、および前記送信されたＵＬ送信についての前記ＡＣＫ／ＮＡＣＫの送信に関連する遅延のうちの少なくとも１つの関数に基づく、
Ｃ１６に記載の方法。
［Ｃ１９］
前記少なくとも１つのＵＥは、無線リソース制御（ＲＲＣ）構成メッセージを通して通知される、
Ｃ１に記載の方法。
［Ｃ２０］
ユーザ機器（ＵＥ）のワイヤレス通信の方法であって、
前記ＵＥによって受信されたダウンリンク（ＤＬ）送信についての肯定応答（ＡＣＫ）／否定応答（ＮＡＣＫ）の送信のための第１の構成または前記ＵＥによって送られたアップリンク（ＵＬ）送信についてのＡＣＫ／ＮＡＣＫの受信のための第２の構成のうちの少なくとも１つにおける変更の情報を発展型ノードＢ（ｅＮＢ）から受信することと、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のリソースを備えるインジケーションを受信することと
を備える方法。
［Ｃ２１］
ＡＣＫ／ＮＡＣＫの送信を遅延させるための遅延期間を受信することをさらに備える、
Ｃ２０に記載の方法。
［Ｃ２２］
前記遅延期間は、各ＡＣＫ／ＮＡＣＫに固有である、
Ｃ２１に記載の方法。
［Ｃ２３］
第１のサブフレームにおいて第１の送信を前記ｅＮＢから受信することと、
前記第１のサブフレームの後の第２のサブフレームにおいて第２の送信を前記ｅＮＢから受信することと、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを同時に前記ｅＮＢに送ることと
をさらに備える、Ｃ２１に記載の方法。
［Ｃ２４］
第１のサブフレームにおいて第１の送信を前記ｅＮＢに送ることと、
前記第１のサブフレームの後の第２のサブフレームにおいて第２の送信を前記ｅＮＢに送ることと、
前記遅延期間に基づいて前記第１のサブフレームから遅延した第３のサブフレームにおいて、前記送られた第１の送信への第１のＡＣＫ／ＮＡＣＫと前記送られた第２の送信への第２のＡＣＫ／ＮＡＣＫとを前記ｅＮＢから同時に受信することと
をさらに備える、Ｃ２１に記載の方法。
［Ｃ２５］
第１のサブフレームにおいて第１の送信を前記ｅＮＢから受信することと、
前記第１のサブフレームの後の第２のサブフレームにおいて第２の送信を前記ｅＮＢから受信することと、
前記遅延期間に基づいて前記第１のサブフレームから遅延した第３のサブフレームにおいて、前記第１の送信への第１のＡＣＫ／ＮＡＣＫを前記ｅＮＢに送ることと、
前記遅延期間に基づいて前記第２のサブフレームから遅延した第４のサブフレームにおいて、前記第２の送信への第２のＡＣＫ／ＮＡＣＫを前記ｅＮＢに送ることと
をさらに備える、Ｃ２１に記載の方法。
［Ｃ２６］
第１のサブフレームにおいて第１の送信を前記ｅＮＢに送ることと、
前記第１のサブフレームの後の第２のサブフレームにおいて第２の送信を前記ｅＮＢに送ることと、
前記遅延期間に基づいて前記第１のサブフレームから遅延した第３のサブフレームにおいて、前記第１の送信への第１のＡＣＫ／ＮＡＣＫを前記ｅＮＢから受信することと、
前記遅延期間に基づいて前記第２のサブフレームから遅延した第４のサブフレームにおいて、前記第２の送信への第２のＡＣＫ／ＮＡＣＫを前記ｅＮＢから受信することと
をさらに備える、Ｃ２１に記載の方法。
［Ｃ２７］
第１のサブフレームにおいて第１の送信を前記ｅＮＢから受信することと、
前記第１のサブフレームの後の第２のサブフレームにおいて第２の送信を前記ｅＮＢから受信することと、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢに送ることと
をさらに備える、Ｃ２１に記載の方法。
［Ｃ２８］
第１のサブフレームにおいて第１の送信を前記ｅＮＢに送ることと、
前記第１のサブフレームの後の第２のサブフレームにおいて第２の送信を前記ｅＮＢに送ることと、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢから受信することと
をさらに備える、Ｃ２１に記載の方法。
［Ｃ２９］
確認応答されることになる、前記受信されたＤＬ送信のうちの１つまたは複数のインジケーションを受信することをさらに備える、
Ｃ２０に記載の方法。
［Ｃ３０］
確認応答されることになる、前記受信されたＤＬ送信のうちの前記１つまたは複数の前記インジケーションに基づいて、前記受信されたＤＬ送信のサブセットのみについての前記ＡＣＫ／ＮＡＣＫを送ることをさらに備える、
Ｃ２９に記載の方法。
［Ｃ３１］
ｅＮＢによって確認応答されることになる、前記少なくとも１つのＵＥによる前記送信されたＵＬ送信のうちの１つまたは複数のインジケーションを受信することをさらに備える、
Ｃ２０に記載の方法。
［Ｃ３２］
前記ｅＮＢによって確認応答されることになる、前記送信されたＵＬ送信のうちの前記１つまたは複数の前記インジケーションは、前記送信されたＵＬ送信のサブセットのみについての前記ＡＣＫ／ＮＡＣＫを受信するように前記少なくとも１つのＵＥを構成するために使用される、
Ｃ３１に記載の方法。
［Ｃ３３］
前記インジケーションは、前記受信されたＤＬ送信についての前記ＡＣＫ／ＮＡＣＫを送信するときに使用されることになるリソースの第１のセットまたは前記送られたＵＬ送信についての前記ＡＣＫ／ＮＡＣＫを受信するときに使用されることになるリソースの第２のセットのうちの少なくとも１つを備える、
Ｃ２０に記載の方法。
［Ｃ３４］
リソースの前記第１のセットまたはリソースの前記第２のセットの前記インジケーションは明示的なインジケーションである、
Ｃ３３に記載の方法。
［Ｃ３５］
リソースの前記第１のセットまたはリソースの前記第２のセットの前記インジケーションは暗黙的なインジケーションである、Ｃ３３に記載の方法。
［Ｃ３６］
リソースの前記第１のセットについての前記暗黙的なインジケーションは、前記ＵＥの識別情報、ＤＬ送信のリソースのインデックス、および前記受信されたＤＬ送信についての前記ＡＣＫ／ＮＡＣＫの送信に関連する遅延のうちの少なくとも１つの関数に基づく、
Ｃ３５に記載の方法。
［Ｃ３７］
リソースの前記第２のセットについての前記暗黙的なインジケーションは、前記少なくとも１つのＵＥの識別情報、ＵＬ送信のリソースのインデックス、および前記送信されたＵＬ送信についての前記ＡＣＫ／ＮＡＣＫの送信に関連する遅延のうちの少なくとも１つの関数に基づく、
Ｃ３５に記載の方法。
［Ｃ３８］
前記情報は、無線リソース制御（ＲＲＣ）構成メッセージを通して受信される、
Ｃ２０に記載の方法。
［Ｃ３９］
ワイヤレス通信のための装置であって、
少なくとも１つのユーザ機器（ＵＥ）に、前記少なくとも１つのＵＥによって受信されたダウンリンク（ＤＬ）送信についての前記少なくとも１つのＵＥによる肯定応答（ＡＣＫ）／否定応答（ＮＡＣＫ）の送信のための第１の構成または前記少なくとも１つのＵＥによって送られたアップリンク（ＵＬ）送信についての前記少なくとも１つのＵＥによるＡＣＫ／ＮＡＣＫの受信のための第２の構成のうちの少なくとも１つにおける変更を通知するための手段と、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のリソースを前記少なくとも１つのＵＥに示すための手段と
を備える装置。
［Ｃ４０］
ＡＣＫ／ＮＡＣＫの送信を遅延させるための遅延期間を前記少なくとも１つのＵＥに送るための手段をさらに備える、
Ｃ３９に記載の装置。
［Ｃ４１］
前記遅延期間は各ＡＣＫ／ＮＡＣＫに固有である、
Ｃ４０に記載の装置。
［Ｃ４２］
第１のサブフレームにおいて第１の送信を前記少なくとも１つのＵＥに送るための手段と、
前記第１のサブフレームの後の第２のサブフレームにおいて第２の送信を前記少なくとも１つのＵＥに送るための手段と、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを前記少なくとも１つのＵＥから同時に受信するための手段と
をさらに備える、Ｃ４０に記載の装置。
［Ｃ４３］
第１のサブフレームにおいて第１の送信を前記少なくとも１つのＵＥから受信するための手段と、
前記第１のサブフレームの後の第２のサブフレームにおいて第２の送信を前記少なくとも１つのＵＥから受信するための手段と、
前記遅延期間に基づいて前記第１のサブフレームから遅延した第３のサブフレームにおいて、前記受信された第１の送信への第１のＡＣＫ／ＮＡＣＫと前記受信された第２の送信への第２のＡＣＫ／ＮＡＣＫとを前記少なくとも１つのＵＥに同時に送るための手段と
をさらに備える、Ｃ４０に記載の装置。
［Ｃ４４］
第１のサブフレームにおいて第１の送信を前記少なくとも１つのＵＥに送るための手段と、
前記第１のサブフレームの後の第２のサブフレームにおいて第２の送信を前記少なくとも１つのＵＥに送るための手段と、
前記遅延期間に基づいて前記第１のサブフレームから遅延した第３のサブフレームにおいて、前記第１の送信への第１のＡＣＫ／ＮＡＣＫを前記少なくとも１つのＵＥから受信するための手段と、
前記遅延期間に基づいて前記第２のサブフレームから遅延した第４のサブフレームにおいて、前記第２の送信への第２のＡＣＫ／ＮＡＣＫを前記少なくとも１つのＵＥから受信するための手段と
をさらに備える、Ｃ４０に記載の装置。
［Ｃ４５］
第１のサブフレームにおいて第１の送信を前記少なくとも１つのＵＥから受信するための手段と、
前記第１のサブフレームの後の第２のサブフレームにおいて第２の送信を前記少なくとも１つのＵＥから受信するための手段と、
前記遅延期間に基づいて前記第１のサブフレームから遅延した第３のサブフレームにおいて、前記第１の送信への第１のＡＣＫ／ＮＡＣＫを前記少なくとも１つのＵＥに送るための手段と、
前記遅延期間に基づいて前記第２のサブフレームから遅延した第４のサブフレームにおいて、前記第２の送信への第２のＡＣＫ／ＮＡＣＫを前記少なくとも１つのＵＥに送るための手段と
をさらに備える、Ｃ４０に記載の装置。
［Ｃ４６］
第１のサブフレームにおいて第１の送信を前記少なくとも１つのＵＥに送るための手段と、
前記第１のサブフレームの後の第２のサブフレームにおいて第２の送信を前記少なくとも１つのＵＥに送るための手段と、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥから受信するための手段と
をさらに備える、Ｃ４０に記載の装置。
［Ｃ４７］
第１のサブフレームにおいて第１の送信を前記少なくとも１つのＵＥから受信するための手段と、
前記第１のサブフレームの後の第２のサブフレームにおいて第２の送信を前記少なくとも１つのＵＥから受信するための手段と、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥに送るための手段と
をさらに備える、Ｃ４０に記載の装置。
［Ｃ４８］
前記少なくとも１つのＵＥによって確認応答されることになる、前記受信されたＤＬ送信のうちの１つまたは複数を前記少なくとも１つのＵＥに示すための手段をさらに備える、
Ｃ３９に記載の装置。
［Ｃ４９］
前記少なくとも１つのＵＥによって確認応答されることになる、前記受信されたＤＬ送信のうちの前記１つまたは複数の前記インジケーションは、前記受信されたＤＬ送信のサブセットのみについての前記ＡＣＫ／ＮＡＣＫを送るように前記少なくとも１つのＵＥを構成するために使用される、
Ｃ４８に記載の装置。
［Ｃ５０］
前記ｅＮＢによって確認応答されることになる、前記少なくとも１つのＵＥによる前記送信されたＵＬ送信のうちの１つまたは複数を前記少なくとも１つのＵＥに示すための手段をさらに備える、
Ｃ３９に記載の装置。
［Ｃ５１］
前記ｅＮＢによって確認応答されることになる、前記送信されたＵＬ送信のうちの前記１つまたは複数の前記インジケーションは、前記送信されたＵＬ送信のサブセットのみについての前記ＡＣＫ／ＮＡＣＫを受信するように前記少なくとも１つのＵＥを構成するために使用される、
Ｃ５０に記載の装置。
［Ｃ５２］
前記インジケーションは、前記受信されたＤＬ送信についての前記ＡＣＫ／ＮＡＣＫを送信するときに前記少なくとも１つのＵＥによって使用されることになるリソースの第１のセットまたは前記送られたＵＬ送信についての前記ＡＣＫ／ＮＡＣＫを受信するときに前記少なくとも１つのＵＥによって使用されることになるリソースの第２のセットのうちの少なくとも１つを備える、
Ｃ３９に記載の装置。
［Ｃ５３］
リソースの前記第１のセットまたはリソースの前記第２のセットの前記インジケーションは明示的なインジケーションである、
Ｃ５２に記載の装置。
［Ｃ５４］
リソースの前記第１のセットまたはリソースの前記第２のセットの前記インジケーションは暗黙的なインジケーションである、
Ｃ５２に記載の装置。
［Ｃ５５］
リソースの前記第１のセットについての前記暗黙的なインジケーションは、前記少なくとも１つのＵＥの識別情報、ＤＬ送信のリソースのインデックス、および前記受信されたＤＬ送信についての前記ＡＣＫ／ＮＡＣＫの送信に関連する遅延のうちの少なくとも１つの関数に基づく、
Ｃ５４に記載の装置。
［Ｃ５６］
リソースの前記第２のセットについての前記暗黙的なインジケーションは、前記少なくとも１つのＵＥの識別情報、ＵＬ送信のリソースのインデックス、および前記送信されたＵＬ送信についての前記ＡＣＫ／ＮＡＣＫの送信に関連する遅延のうちの少なくとも１つの関数に基づく、
Ｃ５４に記載の装置。
［Ｃ５７］
前記少なくとも１つのＵＥは、無線リソース制御（ＲＲＣ）構成メッセージを通して通知される、
Ｃ３９に記載の装置。
［Ｃ５８］
ワイヤレス通信のための装置であって、
ユーザ機器（ＵＥ）によって受信されたダウンリンク（ＤＬ）送信についての肯定応答（ＡＣＫ）／否定応答（ＮＡＣＫ）の送信のための第１の構成または前記ＵＥによって送られたアップリンク（ＵＬ）送信についてのＡＣＫ／ＮＡＣＫの受信のための第２の構成のうちの少なくとも１つにおける変更の情報を発展型ノードＢ（ｅＮＢ）から受信するための手段と、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のリソースを備えるインジケーションを受信するための手段と
を備える装置。
［Ｃ５９］
ＡＣＫ／ＮＡＣＫの送信を遅延させるための遅延期間を受信するための手段をさらに備える、
Ｃ５８に記載の装置。
［Ｃ６０］
前記遅延期間は各ＡＣＫ／ＮＡＣＫに固有である、
Ｃ５９に記載の装置。
［Ｃ６１］
第１のサブフレームにおいて第１の送信を前記ｅＮＢから受信するための手段と、
前記第１のサブフレームの後の第２のサブフレームにおいて第２の送信を前記ｅＮＢから受信するための手段と、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを前記ｅＮＢに同時に送るための手段と
をさらに備える、Ｃ５９に記載の装置。
［Ｃ６２］
第１のサブフレームにおいて第１の送信を前記ｅＮＢに送るための手段と、
前記第１のサブフレームの後の第２のサブフレームにおいて第２の送信を前記ｅＮＢに送るための手段と、
前記遅延期間に基づいて前記第１のサブフレームから遅延した第３のサブフレームにおいて、前記送られた第１の送信への第１のＡＣＫ／ＮＡＣＫと前記送られた第２の送信への第２のＡＣＫ／ＮＡＣＫとを前記ｅＮＢから同時に受信するための手段と
をさらに備える、Ｃ５９に記載の装置。
［Ｃ６３］
第１のサブフレームにおいて第１の送信を前記ｅＮＢから受信するための手段と、
前記第１のサブフレームの後の第２のサブフレームにおいて第２の送信を前記ｅＮＢから受信するための手段と、
前記遅延期間に基づいて前記第１のサブフレームから遅延した第３のサブフレームにおいて、前記第１の送信への第１のＡＣＫ／ＮＡＣＫを前記ｅＮＢに送るための手段と、
前記遅延期間に基づいて前記第２のサブフレームから遅延した第４のサブフレームにおいて、前記第２の送信への第２のＡＣＫ／ＮＡＣＫを前記ｅＮＢに送るための手段と
をさらに備える、Ｃ５９に記載の装置。
［Ｃ６４］
第１のサブフレームにおいて第１の送信を前記ｅＮＢに送るための手段と、
前記第１のサブフレームの後の第２のサブフレームにおいて第２の送信を前記ｅＮＢに送るための手段と、
前記遅延期間に基づいて前記第１のサブフレームから遅延した第３のサブフレームにおいて、前記第１の送信への第１のＡＣＫ／ＮＡＣＫを前記ｅＮＢから受信するための手段と、
前記遅延期間に基づいて前記第２のサブフレームから遅延した第４のサブフレームにおいて、前記第２の送信への第２のＡＣＫ／ＮＡＣＫを前記ｅＮＢから受信するための手段と
をさらに備える、Ｃ５９に記載の装置。
［Ｃ６５］
第１のサブフレームにおいて第１の送信を前記ｅＮＢから受信するための手段と、
前記第１のサブフレームの後の第２のサブフレームにおいて第２の送信を前記ｅＮＢから受信するための手段と、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢに送るための手段と
をさらに備える、Ｃ５９に記載の装置。
［Ｃ６６］
第１のサブフレームにおいて前記ｅＮＢに第１の送信を送るための手段と、
前記第１のサブフレームの後の第２のサブフレームにおいて前記ｅＮＢに第２の送信を送るための手段と、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢから受信するための手段と
をさらに備える、Ｃ５９に記載の装置。
［Ｃ６７］
確認応答されることになる、前記受信されたＤＬ送信のうちの１つまたは複数のインジケーションを受信するための手段をさらに備える、
Ｃ５８に記載の装置。
［Ｃ６８］
確認応答されることになる、前記受信されたＤＬ送信のうちの前記１つまたは複数の前記インジケーションに基づいて、前記受信されたＤＬ送信のサブセットのみについての前記ＡＣＫ／ＮＡＣＫを送るための手段をさらに備える、
Ｃ６７に記載の装置。
［Ｃ６９］
前記インジケーションは、前記受信されたＤＬ送信についての前記ＡＣＫ／ＮＡＣＫを送信するときに使用されることになるリソースの第１のセットまたは前記送られたＵＬ送信についての前記ＡＣＫ／ＮＡＣＫを受信するときに使用されることになるリソースの第２のセットのうちの少なくとも１つを備える、
Ｃ５８に記載の装置。
［Ｃ７０］
リソースの前記第１のセットまたはリソースの前記第２のセットの前記インジケーションは明示的なインジケーションである、
Ｃ６９に記載の装置。
［Ｃ７１］
リソースの前記第１のセットまたはリソースの前記第２のセットの前記インジケーションは暗黙的なインジケーションである、
Ｃ６９に記載の装置。
［Ｃ７２］
リソースの前記第１のセットについての前記暗黙的なインジケーションは、前記ＵＥの識別情報、ＤＬ送信のリソースのインデックス、および前記受信されたＤＬ送信についての前記ＡＣＫ／ＮＡＣＫの送信に関連する遅延のうちの少なくとも１つの関数に基づく、
Ｃ７１に記載の装置。
［Ｃ７３］
リソースの前記第２のセットについての前記暗黙的なインジケーションは、前記少なくとも１つのＵＥの識別情報、ＵＬ送信のリソースのインデックス、および前記送信されたＵＬ送信についての前記ＡＣＫ／ＮＡＣＫの送信に関連する遅延のうちの少なくとも１つの関数に基づく、
Ｃ７１に記載の装置。
［Ｃ７４］
前記情報は、無線リソース制御（ＲＲＣ）構成メッセージを通して受信される、
Ｃ５８に記載の装置。
［Ｃ７５］
ワイヤレス通信のための装置であって、
処理システムを備え、前記処理システムは、
少なくとも１つのユーザ機器（ＵＥ）に、前記少なくとも１つのＵＥによって受信されたダウンリンク（ＤＬ）送信についての前記少なくとも１つのＵＥによる肯定応答（ＡＣＫ）／否定応答（ＮＡＣＫ）の送信のための第１の構成または前記少なくとも１つのＵＥによって送られたアップリンク（ＵＬ）送信についての前記少なくとも１つのＵＥによるＡＣＫ／ＮＡＣＫの受信のための第２の構成のうちの少なくとも１つにおける変更を通知し、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のリソースを前記少なくとも１つのＵＥに示す
ように構成された、装置。
［Ｃ７６］
ワイヤレス通信のための装置であって、
処理システムを備え、前記処理システムは、
ユーザ機器（ＵＥ）によって受信されたダウンリンク（ＤＬ）送信についての肯定応答（ＡＣＫ）／否定応答（ＮＡＣＫ）の送信のための第１の構成または前記ＵＥによって送られたアップリンク（ＵＬ）送信についてのＡＣＫ／ＮＡＣＫの受信のための第２の構成のうちの少なくとも１つにおける変更の情報を受信し、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のリソースを備えるインジケーションを受信する
ように構成された、装置。
［Ｃ７７］
コンピュータプログラム製品であって、
コンピュータ可読媒体を備え、前記コンピュータ可読媒体は、
少なくとも１つのユーザ機器（ＵＥ）に、前記少なくとも１つのＵＥによって受信されたダウンリンク（ＤＬ）送信についての前記少なくとも１つのＵＥによる肯定応答（ＡＣＫ）／否定応答（ＮＡＣＫ）の送信のための第１の構成または前記少なくとも１つのＵＥによって送られたアップリンク（ＵＬ）送信についての前記少なくとも１つのＵＥによるＡＣＫ／ＮＡＣＫの受信のための第２の構成のうちの少なくとも１つにおける変更を通知し、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のリソースを前記少なくとも１つのＵＥに示す
ためのコードを備える、コンピュータプログラム製品。
［Ｃ７８］
コンピュータプログラム製品であって、
コンピュータ可読媒体を備え、前記コンピュータ可読媒体は、
ユーザ機器（ＵＥ）によって受信されたダウンリンク（ＤＬ）送信についての肯定応答（ＡＣＫ）／否定応答（ＮＡＣＫ）の送信のための第１の構成または前記ＵＥによって送られたアップリンク（ＵＬ）送信についてのＡＣＫ／ＮＡＣＫの受信のための第２の構成のうちの少なくとも１つにおける変更の情報を受信し、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のリソースを備えるインジケーションを受信する
ためのコードを備える、コンピュータプログラム製品。
【図１】
0006388908.tif 000002
【図２】
0006388908.tif 000003
【図３】
0006388908.tif 000004
【図４】
0006388908.tif 000005
【図５】
0006388908.tif 000006
【図６】
0006388908.tif 000007
【図７】
0006388908.tif 000008
【図８Ａ】
0006388908.tif 000009
【図８Ｂ】
0006388908.tif 000010
【図８Ｃ】
0006388908.tif 000011
【図９Ａ】
0006388908.tif 000012
【図９Ｂ】
0006388908.tif 000013
【図９Ｃ】
0006388908.tif 000014
【図９Ｄ】
0006388908.tif 000015
【図１０】
0006388908.tif 000016
【図１１】
0006388908.tif 000017
【図１２Ａ】
0006388908.tif 000018
【図１２Ｂ】
0006388908.tif 000019
【図１２Ｃ】
0006388908.tif 000020
【図１３】
0006388908.tif 000021
【図１４Ａ】
0006388908.tif 000022
【図１４Ｂ】
0006388908.tif 000023
【図１４Ｃ】
0006388908.tif 000024
【図１５】
0006388908.tif 000025
【図１６】
0006388908.tif 000026
【図１７】
0006388908.tif 000027
【図１８】
0006388908.tif 000028